【事件の表示】
　特許第３２１２９５４号「冷蔵庫」の請求項７ないし１３、１５、１６に係る特許に対する特許異議の申立てについて、次のとおり決定する。
【結　論】
　訂正を認める。
　特許第３２１２９５４号の請求項７ないし１３に係る特許を維持する。
【理　由】
１．手続の経緯
　本件特許第３２１２９５４号の請求項７ないし１３，１５，１６に係る発明についての出願は、特許法第４１条に基づく優先権主張を伴う平成１０年１１月６日（優先日　平成９年１１月７日、平成１０年３月１７日）の出願であって、平成１３年７月１９日にその発明についての特許権の設定登録がなされ、その後、その特許について、特許異議申立人　松野靖恵より特許異議の申立てななされ、取消しの理由が通知され、その指定期間内である平成１４年１０月１１日に特許異議意見書が提出されるとともに、訂正請求がなされたものである。
　
２．訂正の適否についての判断
（２−１）訂正の内容
　特許権者が求めている訂正の内容は、以下のとおりである。
　
・訂正事項ａ
　願書に添付された明細書（以下、「特許明細書」という）の特許請求の範囲の【請求項１３】の
「冷蔵庫本体と、
　この本体の上部に設けられ、食品等を冷蔵する冷蔵室と、
　前記本体の前記冷蔵室の下に設けられ、冷凍温度帯から冷蔵、野菜、チルド等の温度帯に切り替え可能な切替室と、
　前記本体の前記冷蔵室の下で前記切替室に並列に設けられ、氷を貯える貯氷室と、
　前記本体の下部に設けられ、食品等を冷凍する冷凍室と、
　並列に設置された前記切替室及び貯氷室と前記冷凍室との間に、野菜等を収納する野菜室と、
　前記冷蔵庫本体を上下に分割して上側に前記冷蔵室を形成する第１の仕切部と、
　この第１の仕切部によって仕切られた前記本体の下側後方に、冷却器を有する冷却器室を区画形成する第２の仕切部と、
　この第２の仕切部の前側を上下に分割して下側に冷凍室を形成する第３の仕切部と、
　前記第１の仕切部と前記第３の仕切部との間の空間を２つに分割し、前記第３の仕切部の上に前記野菜室を形成する第４の仕切部（横）と、
　前記第１の仕切部と前記第４の仕切部（横）との間の空間を左右２つに分割し、前記貯氷室と前記切替室を並列に形成する第４の仕切部（縦）と、
を備えたことを特徴とする冷蔵庫。」を、
「冷蔵庫本体と、
　この本体の上部に設けられ、食品等を冷蔵する冷蔵室と、
　前記本体の前記冷蔵室の下に設けられ、冷凍温度帯から冷蔵、野菜、チルド等の温度帯に切り替え可能な切替室と、
　前記本体の前記冷蔵室の下で前記切替室に並列に設けられ、氷を貯える貯氷室と、
　前記本体の下部に設けられ、食品等を冷凍する冷凍室と、
　並列に設置された前記切替室及び貯氷室と前記冷凍室との間に、野菜等を収納する野菜室と、
　前記冷蔵庫本体を上下に分割して上側に前記冷蔵室を形成する第１の仕切部と、
　この第１の仕切部によって仕切られた前記本体の下側後方に、冷却器を有する冷却器室を区画形成する第２の仕切部と、
　この第２の仕切部の前側を上下に分割して下側に冷凍室を形成する第３の仕切部と、
　前記第１の仕切部と前記第３の仕切部との間の空間を２つに分割し、前記第３の仕切部の上に前記野菜室を形成する第４の仕切部（横）と、
　前記第１の仕切部と前記第４の仕切部（横）との間の空間を左右２つに分割し、前記貯氷室と前記切替室を並列に形成する第４の仕切部（縦）と
を備え、前記第４の仕切部（縦）を前記第１〜第３の仕切部、及び第４の仕切部（横）を取付た後に組込む構造とした
と訂正する。
・訂正事項ｂ
　特許明細書の特許請求の範囲の【請求項１４】の
「前記第４の仕切部（縦）を前記第１〜第３の仕切部、及び第４の仕切部（横）を取付た後に組込む構造とし、前記第４の仕切部（縦）の冷蔵庫前面部に、露付き防止のためのヒータを埋設したことを特徴とする請求項１３記載の冷蔵庫。」を、
「
冷蔵庫本体と、　この本体の上部に設けられ、食品等を冷蔵する冷蔵室と、　前記本体の前記冷蔵室の下に設けられ、冷凍温度帯から冷蔵、野菜、チルド等の温度帯に切り替え可能な切替室と、　前記本体の前記冷蔵室の下で前記切替室に並列に設けられ、氷を貯える貯氷室と、　前記本体の下部に設けられ、食品等を冷凍する冷凍室と、　並列に設置された前記切替室及び貯氷室と前記冷凍室との間に、野菜等を収納する野菜室と、　前記冷蔵庫本体を上下に分割して上側に前記冷蔵室を形成する第１の仕切部と、　この第１の仕切部によって仕切られた前記本体の下側後方に、冷却器を有する冷却器室を区画形成する第２の仕切部と、　この第２の仕切部の前側を上下に分割して下側に冷凍室を形成する第３の仕切部と、　前記第１の仕切部と前記第３の仕切部との間の空間を２つに分割し、前記第３の仕切部の上に前記野菜室を形成する第４の仕切部（横）と、　前記第１の仕切部と前記第４の仕切部（横）との間の空間を左右２つに分割し、前記貯氷室と前記切替室を並列に形成する第４の仕切部（縦）とを備え、前記第４の仕切部（縦）を前記第１〜第３の仕切部、及び第４の仕切部（横）を取付た後に組込む構造とし、前記第４の仕切部（縦）の冷蔵庫前部に、露付き防止のためのヒータを埋設したことを特徴とする冷蔵庫。
と訂正する。
・訂正事項ｃ
　特許明細書の段落【００２４】の「第１の仕切部と第４の仕切部（横）との間の空間を左右２つに分割し、貯氷室と切替室を並列に形成する第４の仕切部（縦）と、を備えたものである。」を、
「前記第１の仕切部と前記第４の仕切部（横）との間の空間を左右２つに分割し、前記貯氷室と前記切替室を並列に形成する第４の仕切部（縦）と
を備え、前記第４の仕切部（縦）を前記第１〜第３の仕切部、及び第４の仕切部（横）を取付た後に組込む構造としたものである。
・訂正事項ｄ
　特許明細書の段落【０１１３】の「第１の仕切部と第４の仕切部（横）との間の空間を左右２つに分割し、貯氷室と切替室を並列に形成する第４の仕切部（縦）とを備えた構成にしたので、」を、
「第１の仕切部と第４の仕切部（横）との間の空間を左右２つに分割し、貯氷室と切替室を並列に形成する第４の仕切部（縦）とを備え、第４の仕切部（縦）を第１〜３の仕切部、及び第４の仕切部（横）を取付た後に組込む構造としたので、」と訂正する。
・訂正事項ｅ
　特許明細書の段落【００２５】の「また、第４の仕切部（縦）を第１〜第３の仕切部、及び第４の仕切部（横）を取付た後に組込む構造とし、第４の仕切部（縦）の冷蔵庫前面部に、露付き防止のためのヒータを埋設したものである。」を、
「また、
冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、前記冷蔵庫本体を上下に分割して上側に前記冷蔵室を形成する第１の仕切部と、この第１の仕切部によって仕切られた前記本体の下側後方に、冷却器を有する冷却器室を区画形成する第２の仕切部と、この第２の仕切部の前側を上下に分割して下側に冷凍室を形成する第３の仕切部と、前記第１の仕切部と前記第３の仕切部の間の空間を２つに分割し、前記第３の仕切部の上に前記野菜室を形成する第４の仕切部（横）と、前記第１の仕切部と前記第４の仕切部（横）との間の空間を左右２つに分割し、前記貯氷室と前記切替室を並列に形成する第４の仕切部（縦）とを備え、前記第４の仕切部（縦）を前記第１〜第３の仕切部、及び第４の仕切部（横）を取り付けた後に組み込む構造とし、前記第４の仕切部（縦）の冷蔵庫前部に、露付き防止のためのヒータを埋設したものである。
・訂正事項ｆ
　特許明細書の特許請求の範囲の【請求項１５】及び【請求項１６】を削除し、また、特許明細書の【請求項１７】を、新たな【請求項１５】と訂正する。
・訂正事項ｇ
　特許明細書の段落【００１６】を削除する。
・訂正事項ｈ
　特許明細書の段落【００２３】を削除する。
・訂正事項ｉ
 特許明細書の「【００２６】また、第３の仕切部で第１の仕切部によって仕切られた本体の下側を上下に分割して冷凍室を形成し、第１の仕切部と第３の仕切部によって仕切られた空間の後方に、冷却器を有する冷却器室を区画形成する第２の仕切部を備えたものである。」を削除する。
・訂正事項ｊ
　特許明細書の「【００２７】また、第３の仕切部で冷却器室の霜取排水の受け形状を形成したものである。」を削除する。
・訂正事項ｋ
　特許明細書の段落【０１０５】を削除する。
・訂正事項ｌ
　特許明細書の段落【０１１２】を削除する。
・訂正事項ｍ
　特許明細書の「【０１１５】請求項１５の発明に係る冷蔵庫は、第３の仕切部で第１の仕切部によって仕切られた本体の下側を上下に分割して冷凍室を形成し、第１の仕切部と第３の仕切部によって仕切られた空間の後方に、冷却器を有する冷却器室を区画形成する第２の仕切部を備えた構成にしたので、冷蔵庫本体に断熱材を充頃する際、第３の仕切部に発泡内治具が不要になり、製造が容易である。」を削除する。
・訂正事項ｎ
　特許明細書の「【０１１６】請求項１６の発明に係る冷蔵庫は、第３の仕切部で冷却器室の霜取排水の受け形状を形成したので、内箱で水受け形状を形成する必要がなく、内箱成形が容易である。」を削除する。
・訂正事項ｏ１
　特許明細書の段落番号「【００１７】」を「【
００１６
・訂正事項ｏ２
　特許明細書の段落番号「【００１８】」を「【
００１７
・訂正事項ｏ３
　特許明細書の段落番号「【００１９】」を「【
００１８
・訂正事項ｏ４
　特許明細書の段落番号「【００２０】」を「【
００１９
・訂正事項ｏ５
　特許明細書の段落番号「【００２１】」を「【
００２０
・訂正事項ｏ６
　特許明細書の段落番号「【００２２】」を「【
００２１
・訂正事項ｏ７
　特許明細書の段落番号「【００２４】」を「【
００２２
・訂正事項ｏ８
　特許明細書の段落番号「【００２５】」を「【
００２３
・訂正事項ｏ９
　特許明細書の段落番号「【００２８】」を「【
００２４
・訂正事項ｏ１０
　特許明細書の段落番号「【００２９】」を「【
００２５
・訂正事項ｏ１１
　特許明細書の段落番号「【００３０】」を「【
００２６
・訂正事項ｏ１２
　特許明細書の段落番号「【００３１】」を「【
００２７
・訂正事項ｏ１３
　特許明細書の段落番号「【００３２】」を「【
００２８
・訂正事項ｏ１４
　特許明細書の段落番号「【００３３】」を「【
００２９
・訂正事項ｏ１５
　特許明細書の段落番号「【００３４】」を「【
００３０
・訂正事項ｏ１６
　特許明細書の段落番号「【００３５】」を「【
００３１
・訂正事項ｏ１７
　特許明細書の段落番号「【００３６】」を「【
００３２
・訂正事項ｏ１８
　特許明細書の段落番号「【００３７】」を「【
００３３
・訂正事項ｏ１９
　特許明細書の段落番号「【００３８】」を「【
００３４
・訂正事項ｏ２０
　特許明細書の段落番号「【００３９】」を「【
００３５
・訂正事項ｏ２１
　特許明細書の段落番号「【００４０】」を「【
００３６
・訂正事項ｏ２２
　特許明細書の段落番号「【００４１】」を「【
００３７
・訂正事項ｏ２３
　特許明細書の段落番号「【００４２】」を「【
００３８
・訂正事項ｏ２４
　特許明細書の段落番号「【００４３】」を「【
００３９
・訂正事項ｏ２５
　特許明細書の段落番号「【００４４】」を「【
００４０
・訂正事項ｏ２６
　特許明細書の段落番号「【００４５】」を「【
００４１
・訂正事項ｏ２７
　特許明細書の段落番号「【００４６】」を「【
００４２
・訂正事項ｏ２８
　特許明細書の段落番号「【００４７】」を「【
００４３
・訂正事項ｏ２９
　特許明細書の段落番号「【００４８】」を「【
００４４
・訂正事項ｏ３０
　特許明細書の段落番号「【００４９】」を「【
００４５
・訂正事項ｏ３１
　特許明細書の段落番号「【００５０】」を「【
００４６
・訂正事項ｏ３２
　特許明細書の段落番号「【００５１】」を「【
００４７
・訂正事項ｏ３３
　特許明細書の段落番号「【００５２】」を「【
００４８
・訂正事項ｏ３４
　特許明細書の段落番号「【００５３】」を「【
００４９
・訂正事項ｏ３５
　特許明細書の段落番号「【００５４】」を「【
００５０
・訂正事項ｏ３６
　特許明細書の段落番号「【００５５】」を「【
００５１
・訂正事項ｏ３７
　特許明細書の段落番号「【００５６】」を「【
００５２
・訂正事項ｏ３８
　特許明細書の段落番号「【００５７】」を「【
００５３
・訂正事項ｏ３９
　特許明細書の段落番号「【００５８】」を「【
００５４
・訂正事項ｏ４０
　特許明細書の段落番号「【００５９】」を「【
００５５
・訂正事項ｏ４１
　特許明細書の段落番号「【００６０】」を「【
００５６
・訂正事項ｏ４２
　特許明細書の段落番号「【００６１】」を「【
００５７
・訂正事項ｏ４３
　特許明細書の段落番号「【００６２】」を「【
００５８
・訂正事項ｏ４４
　特許明細書の段落番号「【００６３】」を「【
００５９
・訂正事項ｏ４５
　特許明細書の段落番号「【００６４】」を「【
００６０
・訂正事項ｏ４６
　特許明細書の段落番号「【００６５】」を「【
００６１
・訂正事項ｏ４７
　特許明細書の段落番号「【００６６】」を「【
００６２
・訂正事項ｏ４８
　特許明細書の段落番号「【００６７】」を「【
００６３
・訂正事項ｏ４９
　特許明細書の段落番号「【００６８】」を「【
００６４
・訂正事項ｏ５０
　特許明細書の段落番号「【００６９】」を「【
００６５
・訂正事項ｏ５１
　特許明細書の段落番号「【００７０】」を「【
００６６
・訂正事項ｏ５２
　特許明細書の段落番号「【００７１】」を「【
００６７
・訂正事項ｏ５３
　特許明細書の段落番号「【００７２】」を「【
００６８
・訂正事項ｏ５４
　特許明細書の段落番号「【００７３】」を「【
００６９
・訂正事項ｏ５５
　特許明細書の段落番号「【００７４】」を「【
００７０
・訂正事項ｏ５６
　特許明細書の段落番号「【００７５】」を「【
００７１
・訂正事項ｏ５７
　特許明細書の段落番号「【００７６】」を「【
００７２
・訂正事項ｏ５８
　特許明細書の段落番号「【００７７】」を「【
００７３
・訂正事項ｏ５９
　特許明細書の段落番号「【００７８】」を「【
００７４
・訂正事項ｏ６０
　特許明細書の段落番号「【００７９】」を「【
００７５
・訂正事項ｏ６１
　特許明細書の段落番号「【００８０】」を「【
００７６
・訂正事項ｏ６２
　特許明細書の段落番号「【００８１】」を「【
００７７
・訂正事項ｏ６３
　特許明細書の段落番号「【００８２】」を「【
００７８
・訂正事項ｏ６４
　特許明細書の段落番号「【００８３】」を「【
００７９
・訂正事項ｏ６５
　特許明細書の段落番号「【００８４】」を「【
００８０
・訂正事項ｏ６６
　特許明細書の段落番号「【００８５】］を「【
００８１
・訂正事項ｏ６７
　特許明細書の段落番号「【００８６】」を「【
００８２
・訂正事項ｏ６８
　特許明細書の段落番号「【００８７】」を「【
００８３
・訂正事項ｏ６９
　特許明細書の段落番号「【００８８】」を「【
００８４
・訂正事項ｏ７０
　特許明細書の段落番号「【００８９】」を「【
００８５
・訂正事項ｏ７１
　特許明細書の段落番号「【００９０】」を「【
００８６
・訂正事項ｏ７２
　特許明細書の段落番号「【００９１】」を「【
００８７
・訂正事項ｏ７３
　特許明細書の段落番号「【００９２】」を「【
００８８
・訂正事項ｏ７４
　特許明細書の段落番号「【００９３】」を「【
００８９
・訂正事項ｏ７５
　特許明細書の段落番号「【００９４】」を「【
００９０
・訂正事項ｏ７６
　特許明細書の段落番号「【００９５】」を「【
００９１
・訂正事項ｏ７７
　特許明細書の段落番号「【００９６】」を「【
００９２
・訂正事項ｏ７８
　特許明細書の段落番号「【００９７】」を「【
００９３
・訂正事項ｏ７９
　特許明細書の段落番号「【００９８】」を「【
００９４
・訂正事項ｏ８０
　特許明細書の段落番号「【００９９】」を「【
００９５
・訂正事項ｏ８１
　特許明細書の段落番号「【０１００】」を「【
００９６
・訂正事項ｏ８２
　特許明細書の段落番号「【０１０１】」を「【
００９７
・訂正事項ｏ８３
　特許明細書の段落番号「【０１０２】」を「【
００９８
・訂正事項ｏ８４
　特許明細書の段落番号「【０１０３】」を「【
００９９
・訂正事項ｏ８５
　特許明細書の段落番号「【０１０４】」を「【
０１００
・訂正事項ｏ８６
　特許明細書の段落番号「【０１０６】」を「【
０１０１
・訂正事項ｏ８７
　特許明細書の段落番号「【０１０７】」を「【
０１０２
・訂正事項ｏ８８
　特許明細書の段落番号「【０１０８】」を「【
０１０３
・訂正事項ｏ８９
　特許明細書の段落番号「【０１０９】」を「【
０１０４
・訂正事項ｏ９０
　特許明細書の段落番号「【０１１０】」を「【
０１０５
・訂正事項ｏ９１
　特許明細書の段落番号「【０１１１】」を「【
０１０６
・訂正事項ｏ９２
　特許明細書の段落番号「【０１１３】」を「【
０１０７
・訂正事項ｏ９３
　特許明細書の段落番号「【０１１４】」を「【
０１０８
・訂正事項ｏ９４
　特許明細書の段落番号「【０１１７】」を「【
０１０９
　
（２−２）訂正の目的の適否、新規事項の有無、及び特許請求の範囲の拡張・変更の存否
　
・訂正事項ａについて
　上記訂正事項ａに関連する記載として、特許明細書の発明の詳細な説明には、「第４の仕切部（縦）を第１〜第３の仕切部、及び第４の仕切部（横）を取付た後に組込む構造とし、」（段落【００２５】）、「縦仕切部８１は第１の仕切部４０，第２の仕切部５０、第３の仕切部６０、及び第４の仕切部（横）８０を組立後、第１の仕切部４０、第４の仕切部（横）８０に成形したガイド溝に沿って冷蔵庫前面よりスライドして取り付ける。」（段落【００８４】）と記載されている。
　そうすると、上記訂正事項ａは、特許明細書に記載された事項の範囲内において、「第４の仕切部（縦）」を、「前記第１〜第３の仕切部、及び第４の仕切部（横）を取付た後に組込む構造とした」に限定するものといえるから、特許請求の範囲の減縮を目的とした明細書の訂正に該当するものであって、新規事項の追加に該当せず、また、実質上特許請求の範囲を拡張し、又は変更するものではない。
・訂正事項ｂについて
　上記訂正事項ｂは、特許明細書において特許請求の範囲の【請求項１３】の従属形式で記載された【請求項１４】を独立形式に訂正したものである。これは、上記訂正事項ａによって特許請求の範囲の【請求項１３】の表現形式が訂正されたことに伴うものであって、明細書の明りょうでない釈明を目的とするものであり、新規事項の追加に該当せず、また、実質上特許請求の範囲を拡張し、又は変更するものではない。
・訂正事項ｃないしｅについて
　上記訂正事項ｃないしｅは、上記訂正事項ａ、ｂの訂正に対応させて、明細書の発明の詳細な説明の記載を整合させるものであるから、明細書の明りょうでない釈明を目的とするものであり、新規事項の追加に該当せず、また、実質上特許請求の範囲を拡張し、又は変更するものではない。
・訂正事項ｆについて
　特許請求の範囲の【請求項１５】及び【請求項１６】の削除は、特許請求の範囲の減縮を目的とした明細書の訂正に該当し、また、特許請求の範囲の【請求項１７】を、新たな【請求項１５】とする訂正は、該削除の訂正で付随的に生じる明細書の記載の不備を解消するものであって、明細書の明りょうでない記載の釈明を目的とした訂正に該当し、いずれも、新規事項の追加に該当せず、また、実質上特許請求の範囲を拡張し、又は変更するものではない。
・訂正事項ｇないしｎについて
　上記訂正事項ｇないしｎは、上記訂正事項ａ、ｂ、ｆの訂正に対応させて、明細書の発明の詳細な説明の記載を整合させるものであるから、明細書の明りょうでない釈明を目的とするものであり、新規事項の追加に該当せず、また、実質上特許請求の範囲を拡張し、又は変更するものではない。
・訂正事項ｏ１ないしｏ９４について
　上記訂正事項ｇないしｎの訂正に伴って、明細書の段落番号を訂正するものであるから、明細書の明りょうでない釈明を目的とするものであり、新規事項の追加に該当せず、また、実質上特許請求の範囲を拡張し、又は変更するものではない。
　
　なお、特許異議の申立てがされていない訂正明細書の特許請求の範囲の【請求項１４】及び【請求項１５】についての訂正は、上記のとおり明細書の明りょうでない釈明を目的としたものであって、発明の構成要件を減縮したものではないので、それらの発明について独立特許要件を検討するまでもなく、上記のとおり適法なものである。
　　
（２−３）むすび
　以上のとおりであるから、上記訂正は、特許法第１２０条の４第２項及び同条第３項において準用する同法第１２６条第２項及び第３項の規定に適合するので、当該訂正を認める。
　
３．特許異議申立てについての判断
（３−１）本件発明
　上記のように訂正が認められるから、本件特許第３２１２９５４号の特許請求の範囲の【請求項７】、【請求項８】、【請求項９】、【請求項１０】、【請求項１１】、【請求項１２】、【請求項１３】に係る発明（以下、【請求項７】、【請求項８】、・・・、【請求項１３】に係る発明を、「本件発明７」、「本件発明８」、・・・、「本件発明１３」という。）は、それぞれ訂正明細書の特許請求の範囲の【請求項７】、【請求項８】、【請求項９】、【請求項１０】、【請求項１１】、【請求項１２】、【請求項１３】に記載された事項に特定される次のとおりのものである。
　
「【請求項７】　冷蔵庫本体と、
　この本体の上部に設けられ、食品等を冷蔵する冷蔵室と、
　前記本体の前記冷蔵室の下に設けられ、冷凍温度帯から冷蔵、野菜、チルド等の温度帯に切り替え可能な切替室と、
　前記本体の前記冷蔵室の下で前記切替室に並列に設けられ、氷を貯える貯氷室と、
　前記本体の下部に設けられ、食品等を冷凍する冷凍室と、
　並列に設置された前記切替室及び貯氷室と前記冷凍室との間に、野菜等を収納する野菜室と、
　前記冷蔵庫本体を上下に分割して上側に前記冷蔵室を形成する第１の仕切部と、
　この第１の仕切部によって仕切られた前記本体の下側後方に、冷却器を有する冷却器室を前記冷却器を取り付け後に前記冷蔵庫本体前面より取り付けられて区画し、成形断熱材を有する第２の仕切部と、
　この第２の仕切部の前側を上下に分割して下側に冷凍室を形成する第３の仕切部と、
　前記第１の仕切部と前記第３の仕切部との間の空間を３つの室に分割し、前記第１の仕切部の下に前記貯氷室と前記切替室を並列に形成し、前記第３の仕切部の上に前記野菜室を形成する逆Ｔ字型の第４の仕切部と、
を備えたことを特徴とする冷蔵庫。
　　【請求項８】　前記第２の仕切部に、前記冷却室から各室へ前記冷気を供給するための送風路と、前記冷却室へ各室から前記冷気を戻すための帰還風路とを設けたことを特徴とする請求項７記載の冷蔵庫。
　　【請求項９】　前記第２の仕切部に、冷気を各室に供給するファン装置を一体に設けたことを特徴とする請求項７記載の冷蔵庫。
　　【請求項１０】　前記第２の仕切部に、前記切替室と前記冷蔵室とを温度制御するダンパー装置を備えたことを特徴とする請求項７記載の冷蔵庫。
　　【請求項１１】　前記第４の仕切部を前記冷蔵庫本体の前面から挿入し、第４の仕切部前面よりネジにて冷蔵庫本体に固定する構造としたことを特徴とする請求項７記載の冷蔵庫。
　　【請求項１２】　前記第２の仕切部の貯蔵室側を構成する部品の、前記切替室と前記貯氷室間にスリットを設けたことを特徴とする請求項７記載の冷蔵庫。
　　【請求項１３】　冷蔵庫本体と、
　この本体の上部に設けられ、食品等を冷蔵する冷蔵室と、
　前記本体の前記冷蔵室の下に設けられ、冷凍温度帯から冷蔵、野菜、チルド等の温度帯に切り替え可能な切替室と、
　前記本体の前記冷蔵室の下で前記切替室に並列に設けられ、氷を貯える貯氷室と、
　前記本体の下部に設けられ、食品等を冷凍する冷凍室と、
　並列に設置された前記切替室及び貯氷室と前記冷凍室との間に、野菜等を収納する野菜室と、
　前記冷蔵庫本体を上下に分割して上側に前記冷蔵室を形成する第１の仕切部と、
　この第１の仕切部によって仕切られた前記本体の下側後方に、冷却器を有する冷却器室を区画形成する第２の仕切部と、
　この第２の仕切部の前側を上下に分割して下側に冷凍室を形成する第３の仕切部と、
　前記第１の仕切部と前記第３の仕切部との間の空間を２つに分割し、前記第３の仕切部の上に前記野菜室を形成する第４の仕切部（横）と、
　前記第１の仕切部と前記第４の仕切部（横）との間の空間を左右２つに分割し、前記貯氷室と前記切替室を並列に形成する第４の仕切部（縦）とを備え、前記第４の仕切部（縦）を前記第１〜第３の仕切部、及び第４の仕切部（横）を取付た後に組込む構造としたことを特徴とする冷蔵庫。」
　
（３−２）特許異議申立ての理由の概要
　特許異議申立人　松野　靖恵は、甲第１号証（特開昭６２−２８８４６４号公報）、甲第２号証（特開平５−１６４４４９号公報）、甲第３号証（特開平９−１２６６４０号公報）、甲第４号証（実願昭６１−１８８７２２号（実開昭６３−９２１８３号）のマイクロフィルム）、甲第５号証（特開平９−４９６８２号公報）、甲第６号証（特開平１０−１５３３７９号公報）、甲第７号証の１（特開平７−２０８８５４号公報）、甲第７号証の２（実願昭６２−１０４７４６号（実開昭６４−１２１８２号）のマイクロフィルム）、甲第７号証の３（実願昭５５−１０９３１９号（実開昭５７−３２３８０号）のマイクロフィルム）、甲第８号証（本件特許の出願からの経緯を示す書類）、甲第９号証（平成１２年２月２９日発送の拒絶理由通知書の写し）、甲第１０号証（平成１１年１２月１６日付け提出の意見書の写し）、甲第１１号証（特開平４−９８０８１号公報）、甲第１２号証（平成１２年４月２６日付け提出の意見書の写し）、甲第１３号証（平成１２年４月２６日付け提出の手続補正書の写し）、甲第１４号証（特願平１０−３３０２６７号の願書に最初に添付された明細書および図面の写し）、甲第１５号証（特願昭９−３０５０８９号の願書に最初に添付された明細書および図面の写し）、甲第１６号証（特願昭１０−６６４２９号の願書に最初に添付された明細書および図面の写し）を提出し、本件特許の請求項７ないし１２に係る発明は、甲第１号証ないし甲第５号証に記載されたものから容易に想到し得たものであるし、また、請求項１５、１６に係る発明は、その出願日が甲第１４号証ないし甲第１６号証から優先権主張に基づく出願の願書に最初に添付された明細書又は図面に記載されていないものであるから、実際の出願日となって甲第６号証と甲第１号証、甲第７号証の１ないし甲第７号証の３に記載されたものから容易に想到し得たものであり、本件特許の請求項７ないし１２、１５、１６に係る発明は、特許法第２９条第２項の規定に違反してなされたものであるから、その特許は取り消されるべき旨の主張している。
　さらに、同じく、松野　靖恵は、本件特許の請求項１３に係る発明について、甲第１号証（特開平１１−２７０９５６号公報）、甲第２号証（特願平１０−３３０２６７号の願書に最初に添付された明細書および図面の写し）、甲第３号証（特願平９−３０５０８９号の願書に最初に添付された明細書および図面の写し）、甲第４号証（特願平１０−６６４２９号の願書に最初に添付された明細書および図面の写し）を提出して、本件特許の請求項１３に係る発明は、その出願日が甲第２号証ないし甲第４号証から優先権主張に基づく出願の願書に最初に添付された明細書および図面に基づかないものであるから、実際の出願日であり、その出願日前の出願に係り、その出願後に公開されたことを証拠とする甲第１号証（特開平１１−２７０９５６号公報）に相当する先願である特願平１０−７５２５８号の明細書又は図面に記載された発明と同一であり、本件特許の請求項１３に係る発明は、特許法第２９条の２に違反してなされたものであるから、その特許は取り消されるべき旨の主張をしている。
　
　なお、特許異議申立人が取消しを求めた特許明細書の請求項１５及び１６に係る発明についての特許は、上記２．訂正の適否についての判断において示したように、訂正（削除）により、存在しないものとなった。
　
（３−３）特許異議申立人の提出した特許法第２９条第２項の規定の違反として提出した甲号各証の刊行物に記載された事項
　
　甲第１号証には、冷蔵庫に関して、図面とともに、
「２５は第１冷凍室２、製氷室１０とを区画し、切換室１１を形成するための仕切である仕切部で、上仕切板２３ａと下仕切板２３ｂと発泡ＰＳ製品吹出ダクト２３ｄの間に断熱材２３ｃを現場発泡して構成された後部仕切壁である後部仕切部２３と前部仕切壁である前部仕切部２４に２分割され、後部仕切部２３は切換室１１の背面で冷却室４とを仕切る仕切壁５も一体に形成されている。」（第３頁上段右欄第１８行〜同左欄第６行）こと、
が記載されている。
　また、図面の第５図、第６図には、製氷室１０と切換室１１との仕切部２５の前部仕切部２４をＴ字状に形成したものが示されている。また、第３図から冷却器４の下方の中仕切壁９に凹部の溝が形成されていることが窺える。
　甲第２号証には、冷凍冷蔵庫に関して、図面とともに、
「２０は冷蔵室１７の最下部に配置された引き出し式野菜容器であり、前記真空断熱材１９の上方に相対するように配置されている。また、２１は前記野菜容器２０内の湿度をコントロールする透過膜である。２２は引き出し式低温容器であり、前記野菜容器２０の上部に配置され、断熱された低温室２３内に収納されている。２４は野菜容器２０の上部に配置され、低温容器２２の横に設けた引き出し式解凍室である。２５は冷凍室の横開きドアであり、２６は冷凍室内に配置された上方開口の引き出し式冷凍容器である。」（段落【００１６】）こと、
が記載されている。
　甲第３号証には、冷蔵庫に関して、図面とともに、
「図１２は従来の冷気強制循環式の自動製氷装置付き冷蔵庫を示している。この冷蔵庫は、冷凍室５の奥部に冷却器（熱交換器）１７を有し、この冷却器１７の配置部の手前に冷気吹き出し用の送風ファン１９を有する仕切パネル２１を配置される。仕切パネル２１は、冷凍器配置部との仕切を兼ねたファングリル付き」パネルであり、全体を一つのパネル構造体により構成されて仕切壁１の凸部１３より奥側にて冷凍室５の実質的な奥壁をなしている。」（段落【０００３】）こと、
「図１、図２はこの発明による冷蔵庫の実施の形態１を示している。この冷蔵庫では、冷凍室５の奥壁をなす冷凍器配置部との仕切パネル３１が上側パネル３３と下側パネル３５とに上下２分割されている。上側パネル３３には送風ファン１９があ取り付けられ、上側パネル３３がファングリル付きパネルをなしている。」（段落【０００３】）こと、
が記載されている。
　甲第４号証には、冷蔵庫に関して、図面とともに、
「また、仕切壁１５のフランジ１５ｃと伊切壁前面板１８の両端は内箱１３の開口フランジ１３ａや放熱パイプ１９と同様に外箱１２の外側フランジ１２ａと内側フランジ１２ｂとの間に挿入されており、放熱パイプ１９の延出側挿入部には、外側フランジ１２ａと仕切壁前面板１８の重ね合わせ部２０に貫通穴２１が形成されているこの貫通穴２１の直径は取り付けネジ２２の外径に対して若干大きく構成されている。また、この貫通穴２１と対向する仕切壁１５のフランジ１５ｃは取り付けネジ２２により絞付けられる所定の大きさのネジ穴１５ｄを備えている。」（第７頁第２０行〜第８頁第１１行）こと、
が記載されている。
　甲第５号証には、冷蔵庫等の前面に対して開閉可能に取り付けられる断熱扉に関して、図面とともに、
「扉内板２０と扉外板２１との間に熱遮断部が形成されることになり、扉内板２０から扉外板２１への熱伝達は行われなくなる。これにより、扉内板２０から扉外板２１への熱伝導を確実に防止することができ、この結果、冷蔵庫１内の冷気に基づく扉内板２０からの熱伝導を遮断して扉外板２１の表面に結露が発生することを確実に防止することができるものである。」（段落【０００３】）こと、
が記載されている。
　甲第６号証には、冷蔵室を上部に備えた冷蔵庫に関して、図面とともに、
「本発明の冷蔵庫は、上部に冷蔵室、下部冷凍室を配置し、中央部にそれぞれ独立した引き出し式の扉を備えた低温室と野菜室を配置したものである。」（段落【０００８】）こと、
「図１において、２１は冷蔵庫本体である。２２、２３、２４はそれぞれ庫内上下に区画する区画壁である。２５は前記区画壁２２の上方で本体２１の上部に区画形成された冷蔵室であり、回転式の扉２６を備えている。２７は前記区画壁２４の下方で本体２１の下部に区画形成された冷凍室であり引き出し式の扉２８を備えている。」（段落【００２０】）こと、
「２９は魚、肉類を保存する低温室、３０は前記低温室２９の下部に設けた野菜、果物類を保存する野菜室で、いづれも引き出し式の扉３１、３２と前記扉３１、３２に取り付けて引き出される容器３３、３４を装備しており、前記区画壁２３、２４の間に位置して且つ、区画壁２３でによって分割されて本体２２の中央部に配置されている。また、野菜室３０内には、室内を高湿に維持するための透湿機能膜などの調湿手段３５を設けている。」（【００２１】）こと、
「このため、使用者の要求に応じて、野菜、果物類の使用量が多い時には低温室２９も野菜室に切り換えたり、また魚、肉類の使用量が多い時には容量の大きい野菜室３０と容量の小さい低温室とを入れ換えるなど収納の自由度を提供できる。」（段落【００４２】）こと、
が記載されている。
　また、図１には、冷却器３６、送風機３７は、低温室２９及び野菜室３０の後部垂直な区画壁と、冷凍室２７と野菜室３０との区画壁２４と、冷蔵庫本体後壁とに囲まれた空間に配置されていることが窺える。そして、冷却器３６の下方の区画壁２４が一段低くなった段差の溝が形成されていることも窺える。
　甲第７号証の１には、冷蔵庫の内部構造に関して、図面とともに、
「図１は冷蔵庫の断熱箱体を、図２は断熱箱体の内部をそれぞれ表したものである。断熱箱体１は外箱２と、内箱３と、これらの内部に充填された発泡断熱材４とから成り、内箱３の内部は仕切体５により冷凍室６と冷蔵室７とに区画されている。冷凍室６の背後には蒸発器８と、この蒸発器８にて生成される冷気を冷凍室６および冷蔵室７に送り出す送風ファン９とが有り、冷蔵室７への冷気は冷凍室６後方の冷気分配室10に接続されている図示されてない冷気ダクトを通して送り込まれる。冷凍室６および冷蔵室７に送り込まれた冷気は仕切体５に形成された冷気還流路５ａ，５ｂを通して蒸発器８側に戻される。また、仕切体５の後方には除霜運転時に蒸発器８側から流下する除霜水を受けるための樋部５ｃがあり、この樋部５ｃの上方中央には除霜運転時にオンされる除霜ヒータ11が設けられている。なお、樋部５ｃに集められた除霜水は下部の排水管12を通して図示されてない蒸発手段に導かれて蒸発するようになっている。」（段落【０００６】）こと、
が記載されている。
　甲第７号証の２には、冷蔵庫に関して、図面とともに、
「（１４）はこの冷却器の下方に配置されたガラス管ヒータ（１５）は除霜時のガラス管ヒータの熱から前記中仕切（２）を保護すると共に冷却器（１０）から落下する水滴を受け排水ホース（１６）へ導く露受皿で、」（第３頁第６行〜同第９行）あること、
が記載されている。
　甲第７号証の３には、冷凍室循環後の冷気を冷却器の途中に帰還させるための帰還路を、着霜により閉塞することのない様にして、冷気の循環を円滑にした冷蔵庫に関して、図面とともに、
「前記冷気流通路（１３）の下部にはヒータ（３７）を付設した露受皿（３８）を配設し、冷却器（１２）等より流下した露水を受容し排水管（３９）を介して本体（１）外へ排出する。」（第６頁第９行〜同第１１行）こと、
が記載されている。
　甲第１１号証には、冷蔵庫に関して、図面とともに、
「冷蔵庫の正面を示す第２図において、本体１１には上部から冷凍室１２、セレクト室１３、製氷室１４、冷蔵室１５、野菜室１６が設けられており、夫々 には扉１７、１８、１９、２０、２１が設けられている。」（第２頁下段右欄第１行〜同第５行）こと、
が記載されている。
　
（３−４）特許法第２９条の２の規定の違反として提出された甲第１号証に相当する先願に係る発明の願書に最初に添付された明細書又は図面に記載された事項
　
　先願に係る発明の明細書には、冷蔵室を上部に備え、冷凍室を下部に備えた冷蔵庫に関して、図面とともに、
「９７，９８，９９はそれぞれ上方より順に庫内を縦に区画する区画壁である。
１００は前記区画壁９７の上方で本体９６の上部に区画形成された冷蔵室であり、回転式の扉１０１を備えている。１０２は前記区画壁９７と区画壁９８の間に区画形成された切替え室で、温度を冷蔵温度帯から冷凍温度帯まで切り替える事ができる。前記切替え室１０２は容器１０３を一体に引き出す引き出し式の扉１０４を備えている。」（段落【００４６】）こと、
「１２０は貯氷室であり、前記切替え室１０２と同じ高さに配置され、区画壁９７と区画壁９８の間に区画形成される。前記貯氷室１２０は切替え室１０２と区画壁１２１を介して区画されることにより相互に左右に配置され、容器１２２を一体に引き出す引き出し式扉１２３を備えている。本実施例においては前記貯氷室１２０内に自動製氷機１２４を設け、製氷と貯氷を同じ室内で行なうよう設計している。」（段落【００４７】）こと、
「１０５は前記区画壁９８と区画部９９の間に区画形成された野菜室であり、容器１０６を一体に引き出す引き出し式扉１０７を備えている。１０８は前記区画壁１００の下方で本体９６の下部に区画形成された冷凍室であり、容器１０９を一体に引き出す引き出し式扉１１０を備えている。」（段落【００４８】）こと、
【００４９】
「そして、前記切替え室１０２と前記貯氷室１２０の中心点の地上高さＣは本体９６の全高Ｌほ略中央の高さに配置（Ｃ≒１／２Ｌ）するとともに前記切替え室１０２自体と前記貯氷室１２０自体の室内高さを前記冷凍室１０８、野菜室１０５より低くし、本体上部より冷蔵室１００、切替え室１０２および貯氷室１２０、野菜室１０８、冷凍室１０５を縦方向に本体の全幅にわたって配置している。」（段落【００４９】）こと、
「１１１は冷凍サイクルの冷却器であり、１１２は前記冷却器１１１で冷却された冷気を庫内に強制循環させるための第１の送風機である。前記第１の送風機１１２は前記貯氷室１２０および前記切替え室１０２の後方にまたがるように配置されることにより、本体のほぼ中心高さに配置される。１２５は前記冷却器１１１と前記第１の送風機１１３の間に設けられた吸い上げダクトで、前記冷却器１１１にて冷却された冷気を第１の送風機１１２に届ける風路である。また１２６は第１の送風機１１２から前記冷蔵室１００へ冷気を導く冷蔵室風路である。冷蔵室風路１２６内には冷蔵ダンパー装置１２７が設置され導入される冷気の量を調整している。」（段落【００５０】）こと、
が記載されている。
　
（３−５）対比・判断
　（Ａ）特許法第２９条第２項の規定の違反について
　
・本件発明７について
　本件発明７は、少なくとも「この第１の仕切部によって仕切られた前記本体の下側後方に、冷却器を有する冷却器室を前記冷却器を取り付け後に前記冷蔵庫本体前面より取り付けられて区画し、成形断熱材を有する第２の仕切部と、
　この第２の仕切部の前側を上下に分割して下側に冷凍室を形成する第３の仕切部と、
　前記第１の仕切部と前記第３の仕切部との間の空間を３つの室に分割し、前記第１の仕切部の下に前記貯氷室と前記切替室を並列に形成し、前記第３の仕切部の上に前記野菜室を形成する逆Ｔ字型の第４の仕切部と、」を発明の構成要件とするものである。
　これに対して、甲第１号証の図面に示されたものは、その第５図、第６図に示されるように製氷室１０と切換室１１との間の仕切部２５は、前部仕切部２４がＴ字型をなしているだけで、製氷室１０の上面側は第１冷凍室２と連通するように開口構造のため、上面には仕切部がなく、製氷室１０と切替室１１との仕切部はＴ字型を成しているものとは認められない。
　
　したがって、甲第１号証に示された仕切部２５が、本件発明７の逆Ｔ字型の第４の仕切部の構造を示唆しているものとはいえないし、さらに、該逆Ｔ字型の第４の仕切部によって、野菜室、貯氷室、切替室の３つの空間を形成する本件発明７の構成が甲第１号証に記載されているともいえない。
　
　また、他の甲号各証を検討しても、逆Ｔ字型の仕切部の構造及びこの仕切部を用いて貯氷室と切替室と野菜室の３つの空間を形成する本件発明７の構成を示唆する記載は認められない。
　
　そして、本件発明７の構成によって、明細書記載の作用効果を奏するものと認められる。
　
　したがって、本件発明７は、特許異議申立人が提出した甲第１号証ないし甲第７号証の３に記載された発明に基づいて当業者が容易に発明をすることができたものということはできない。
　
・本件発明８について
　本件発明８は、本件発明７を引用して、さらに、「前記第２の仕切部に、前記冷却室から各室へ前記冷気を供給するための送風路と、前記冷却室へ各室から前記冷気を戻すための帰還風路とを設けたこと」を発明の構成要件とするものであり、上記本件発明７で検討したように、本件発明７は、特許異議申立人が提出した甲第１号証ないし甲第７号証の３に記載された発明に基づいて当業者が容易に発明をすることができたものということはできないから、本件発明８も、特許異議申立人が提出した甲第１号証ないし甲第７号証の３に記載された発明に基づいて当業者が容易に発明をすることができたものということはできない。
　
・本件発明９について
　本件発明９は、本件発明７を引用して、さらに、「前記第２の仕切部に、冷気を各室に供給するファン装置を一体に設けたこと」を発明の構成要件とするものであり、上記本件発明７で検討したように、本件発明７は、特許異議申立人が提出した甲第１号証ないし甲第７号証の３に記載された発明に基づいて当業者が容易に発明をすることができたものということはできないから、本件発明９も、特許異議申立人が提出した甲第１号証ないし甲第７号証の３に記載された発明に基づいて当業者が容易に発明をすることができたものということはできない。
　
・本件発明１０について
　本件発明１０は、本件発明７を引用して、さらに、「前記第２の仕切部に、前記切替室と前記冷蔵室とを温度制御するダンパー装置を備えたこと」を発明の構成要件とするものであり、上記本件発明７で検討したように、本件発明７は、特許異議申立人が提出した甲第１号証ないし甲第７号証の３に記載された発明に基づいて当業者が容易に発明をすることができたものということはできないから、本件発明１０も、特許異議申立人が提出した甲第１号証ないし甲第７号証の３に記載された発明に基づいて当業者が容易に発明をすることができたものということはできない。
　
・本件発明１１について
　本件発明１１は、本件発明７を引用して、さらに、「前記第４の仕切部を前記冷蔵庫本体の前面から挿入し、第４の仕切部前面よりネジにて冷蔵庫本体に固定する構造としたこと」を発明の構成要件とするものであり、上記本件発明７で検討したように、本件発明７は、特許異議申立人が提出した甲第１号証ないし甲第７号証の３に記載された発明に基づいて当業者が容易に発明をすることができたものということはできないから、本件発明１１も、特許異議申立人が提出した甲第１号証ないし甲第７号証の３に記載された発明に基づいて当業者が容易に発明をすることができたものということはできない。
　
・本件発明１２について
　本件発明１２は、本件発明７を引用して、さらに、「前記第２の仕切部の貯蔵室側を構成する部品の、前記切替室と前記貯氷室間にスリットを設けたこと」を発明の構成要件とするものであり、上記本件発明７で検討したように、本件発明７は、特許異議申立人が提出した甲第１号証ないし甲第７号証の３に記載された発明に基づいて当業者が容易に発明をすることができたものということはできないから、本件発明１２も、特許異議申立人が提出した甲第１号証ないし甲第７号証の３に記載された発明に基づいて当業者が容易に発明をすることができたものということはできない。
　
・本件発明１３について
　本件特許についての出願は、特願平９−３０５０８９号及び特願平１０−６６４２９号の出願に基づき優先権を主張している。そこで、本件発明１３について、その出願日について特定する。
　
　本件発明１３は、本件特許の願書の最初に添付された明細書及び図面（出願日：平成１０年１１月６日）の段落「【請求項２１】」、「【請求項２２】」、「【００３０】、【００３１】」、「【００９２】、【００９３】」、「【０１２８】、【０１２９】」、「【図２２】（添付図面の記載も含む）」に初めて記載された発明であって、特願平９−３０５０８９号及び特願平１０−６６４２９号の明細書には、その発明の記載が認められないものであるから、その現実の出願日である平成１０年１１月６日に出願されたものと認定する。
　
　そこで、本件発明１３と甲第６号証（公開日　平成１０年６月９日）に記載された発明とを対比し、検討する。
　
　甲第６号証に記載された冷蔵庫は、上記記載事項から、
「上部に冷蔵室２５と、下部に冷凍室２７と、冷蔵室２５の下にダンパー装置３９により温度切り換え可能な低温室２９と、低温室２９と冷凍室２７との間に野菜室３０とを区画壁２２、２３、２４で区画形成し、低温室２９と野菜室３０の後部垂直な区画壁の背後に冷却器３６、送風機３７を配置した冷蔵庫」
ということができる。
　
　しかしながら、本件発明１３は、少なくとも「並列に設置された前記切替室及び貯氷室と前記冷凍室との間に、野菜等を収納する野菜室」と、「前記第１の仕切部と前記第４の仕切部（横）との間の空間を左右２つに分割し、前記貯氷室と前記切替室を並列に形成する第４の仕切部（縦）とを備え、前記第４の仕切部（縦）を前記第１〜第３の仕切部、及び第４の仕切部（横）を取付た後に組込む構造としたこと」とを発明の構成要件としているものである。
　そして、この構成は、甲第６号証には記載も示唆もされていない。この構成について、特許異議申立人の提出した甲号各証について検討する。
　
　甲第１号証に記載されたものは、製氷室１０と切換室１１とに仕切部２５を設けているものの、該仕切部２５は、上記本件発明７において検討したように、野菜室、貯氷室、切替室とを分ける仕切部ということはできないし、さらに、本件発明１３の構成要件である「前記第４の仕切部（縦）を前記第１〜第３の仕切部、及び第４の仕切部（横）を取付た後に組込む構造としたこと」を示唆する記載も認められない。
　また、他の甲号各証を検討しても、本件発明１３の発明の前記構成要件を示唆する記載は認められない。
　
　そして、本件発明１３の構成によって、明細書記載の作用効果を奏するものと認められる。
　
　したがって、本件発明１３は、特許異議申立人が提出した甲第１号証ないし甲第７号証の３に記載された発明に基づいて当業者が容易に発明をすることができたものということはできない。
　
（Ｂ）特許法第２９条の２の規定の違反について
　
・本件発明１３について
（ａ）先願に係る発明
　特許異議申立人が提出した甲第１号証（特開平１１−２７０９５６号公報）に相当する特願平１０−７５２５８号（公開公報番号：特開平１１年２７０９５６号公報、出願日：平成１０年３月２４日、出願人：松下冷機株式会社）の願書に最初に添付された明細書又は図面に記載された発明。
　
（ｂ）先願に係る願書に最初に添付された明細書及び図面に記載された事項
　冷蔵室を上部に備え、冷凍室を下部に備えた冷蔵庫に関して、
「９７，９８，９９はそれぞれ上方より順に庫内を縦に区画する区画壁である。
１００は前記区画壁９７の上方で本体９６の上部に区画形成された冷蔵室であり、回転式の扉１０１を備えている。１０２は前記区画壁９７と区画壁９８の間に区画形成された切替え室で、温度を冷蔵温度帯から冷凍温度帯まで切り替える事ができる。前記切替え室１０２は容器１０３を一体に引き出す引き出し式の扉１０４を備えている。」（段落【００４６】）こと、
「１２０は貯氷室であり、前記切替え室１０２と同じ高さに配置され、区画壁９７と区画壁９８の間に区画形成される。前記貯氷室１２０は切替え室１０２と区画壁１２１を介して区画されることにより相互に左右に配置され、容器１２２を一体に引き出す引き出し式扉１２３を備えている。本実施例においては前記貯氷室１２０内に自動製氷機１２４を設け、製氷と貯氷を同じ室内で行なうよう設計している。」（段落【００４７】）こと、
「１０５は前記区画壁９８と区画部９９の間に区画形成された野菜室であり、容器１０６を一体に引き出す引き出し式扉１０７を備えている。１０８は前記区画壁１００の下方で本体９６の下部に区画形成された冷凍室であり、容器１０９を一体に引き出す引き出し式扉１１０を備えている。」（段落【００４８】）こと、
【００４９】
「そして、前記切替え室１０２と前記貯氷室１２０の中心点の地上高さＣは本体９６の全高Ｌほ略中央の高さに配置（Ｃ≒１／２Ｌ）するとともに前記切替え室１０２自体と前記貯氷室１２０自体の室内高さを前記冷凍室１０８、野菜室１０５より低くし、本体上部より冷蔵室１００、切替え室１０２および貯氷室１２０、野菜室１０８、冷凍室１０５を縦方向に本体の全幅にわたって配置している。」（段落【００４９】）こと、
「１１１は冷凍サイクルの冷却器であり、１１２は前記冷却器１１１で冷却された冷気を庫内に強制循環させるための第１の送風機である。前記第１の送風機１１２は前記貯氷室１２０および前記切替え室１０２の後方にまたがるように配置されることにより、本体のほぼ中心高さに配置される。１２５は前記冷却器１１１と前記第１の送風機１１３の間に設けられた吸い上げダクトで、前記冷却器１１１にて冷却された冷気を第１の送風機１１２に届ける風路である。また１２６は第１の送風機１１２から前記冷蔵室１００へ冷気を導く冷蔵室風路である。冷蔵室風路１２６内には冷蔵ダンパー装置１２７が設置され導入される冷気の量を調整している。」（段落【００５０】）こと、
が記載されている。
　また、図５、図６には、それぞれに縦断面図、正面透視図が示されている。
　
（ｃ）本件発明１３と先願に係る発明との対比、判断
　先願の願書に最初に添付された明細書に記載された、「冷蔵室２０」、「切替室１０２」、「貯氷室１２０」、「冷凍室１０８」、「野菜室１０５」、「区画壁９７」、「冷却器１１１」、「冷却器１１１を配置した空間」、「野菜室１０５の後方の区画壁」、「区画壁９９」、「区画壁９８」、「区画壁１２１」は、それぞれ本件発明１３の、「冷蔵室」、「切替室」、「貯氷室」、「冷凍室」、「野菜室」、「第１の仕切部」、「冷却器」、「冷却器室」、「第２の仕切部」、「第３の仕切部」、「第４の仕切部（横）」、「第４の仕切部（縦）」に相当するから、先願明細書又は図面には、
「冷蔵庫本体と、
　この本体の上部に設けられ、食品等を冷蔵する冷蔵室と、
　前記本体の前記冷蔵室の下に設けられ、冷凍温度帯から冷蔵、野菜、チルド等の温度帯に切り替え可能な切替室と、
　前記本体の前記冷蔵室の下で前記切替室に並列に設けられ、氷を貯える貯氷室と、
　前記本体の下部に設けられ、食品等を冷凍する冷凍室と、
　並列に設置された前記切替室及び貯氷室と前記冷凍室との間に、野菜等を収納する野菜室と、
　前記冷蔵庫本体を上下に分割して上側に前記冷蔵室を形成する第１の仕切部と、
　この第１の仕切部によって仕切られた前記本体の下側後方に、冷却器を有する冷却器室を区画形成する第２の仕切部と、
　この第２の仕切部の前側を上下に分割して下側に冷凍室を形成する第３の仕切部と、
　前記第１の仕切部と前記第３の仕切部との間の空間を２つに分割し、前記第３の仕切部の上に前記野菜室を形成する第４の仕切部（横）と、
　前記第１の仕切部と前記第４の仕切部（横）との間の空間を左右２つに分割し、前記貯氷室と前記切替室を並列に形成する第４の仕切部（縦）と、
を備えたことを特徴とする冷蔵庫。」
が記載されていると認められる。
　
　しかし、本件発明１３は、さらに、「前記第４の仕切部（縦）を前記第１〜第３の仕切部、及び第４の仕切部（横）を取付た後に組込む構造としたこと」を発明の構成要件とするものであり、先願に係る発明の区画壁の図示されたハッチングから区画壁は一体的なものであって、仕切部（縦）を仕切部（横）を取り付けた後に組込む構造であるということは認めることができないから、本件発明１３の仕切部の前記構成要件が先願の明細書又は図面に記載されたものということはできない。
　
　そして、本件発明１３は、明細書記載の作用効果を奏するものと認められる。
　
　したがって、本件発明１３は、先願である特願平１０−７５２５８号（特開平１１年２７０９５６号公報）の願書に添付された明細書又は図面に記載された発明と同一であるということはできない。
　
（３−６）むすび
　以上のとおりであるから、本件特許の請求項７ないし１３に係る発明についての特許は、特許異議の申立ての理由及び証拠によっては取り消すことができない。
　また、他に請求項７ないし１３に係る発明についての特許を取り消すべき理由を発見しない。
　よって、結論のとおり決定する。
【異議決定日】
平成１５年３月２７日（２００３．３．２７）
【訂正の要旨】
ｉ．訂正事項ａ
　請求項１３の中の「前記第１の仕切部と前記第４の仕切部（横）との間の空間を左右２つに分割し、前記貯氷室と前記切替室を並列に形成する第４の仕切部（縦）と、を備えたことを特徴とする冷蔵庫。」
を特許請求の範囲の減縮を目的として
「前記第１の仕切部と前記第４の仕切部（横）との間の空間を左右２つに分割し、前記貯氷室と前記切替室を並列に形成する第４の仕切部（縦）とを備え、前記第４の仕切部（縦）を前記第１〜第３の仕切部、及び第４の仕切部（横）を取付た後に組込む構造としたことを特徴とする冷蔵庫。」
と訂正する。
　これに伴い、特許請求の範囲の記載と発明の詳細な説明の記載との整合を図るため、明瞭でない記載の釈明を目的として、明細書第１３頁第２３〜２５行目「第１の仕切部と第４の仕切部（横）との間の空間を左右２つに分割し、貯氷室と切替室を並列に形成する第４の仕切部（縦）と、を備えたものである。」を「前記第１の仕切部と前記第４の仕切部（横）との間の空間を左右２つに分割し、前記貯氷室と前記切替室を並列に形成する第４の仕切部（縦）とを備え、前記第４の仕切部（縦）を前記第１〜第３の仕切部、及び第４の仕切部（横）を取付た後に組込む構造としたものである。」と訂正する。
　同様に、明細書第３４頁第２〜５行目「第１の仕切部と第４の仕切部（横）との間の空間を左右２つに分割し、貯氷室と切替室を並列に形成する第４の仕切部（縦）とを備えた構成にしたので、」を「第１の仕切部と第４の仕切部（横）との間の空間を左右２つに分割し、貯氷室と切替室を並列に形成する第４の仕切部（縦）とを備え、第４の仕切部（縦）を第１〜第３の仕切部、及び第４の仕切部（横）を取付た後に組込む構造としたので、」と訂正する。
ｉｉ．訂正事項ｂ
　請求項１４の「前記第４の仕切部（縦）を前記第１〜第３の仕切部、及び第４の仕切部（横）を取付た後に組込む構造とし、前記第４の仕切部（縦）の冷蔵庫前面部に、露付き防止のためのヒータを埋設したことを特徴とする請求項１３記載の冷蔵庫。」
を、上記訂正後の請求項１３の記載と整合を図るため、明瞭でない記載の釈明を目的として
「冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、前記冷蔵庫本体を上下に分割して上側に前記冷蔵室を形成する第１の仕切部と、この第１の仕切部によって仕切られた前記本体の下側後方に、冷却器を有する冷却器室を区画形成する第２の仕切部と、この第２の仕切部の前側を上下に分割して下側に冷凍室を形成する第３の仕切部と、前記第１の仕切部と前記第３の仕切部との間の空間を２つに分割し、前記第３の仕切部の上に前記野菜室を形成する第４の仕切部（横）と、前記第１の仕切部と前記第４の仕切部（横）との間の空間を左右２つに分割し、前記貯氷室と前記切替室を並列に形成する第４の仕切部（縦）とを備え、前記第４の仕切部（縦）を前記第１〜第３の仕切部、及び第４の仕切部（横）を取り付けた後に組み込む構造とし、前記第４の仕切部（縦）の冷蔵庫前部に、露付き防止のためのヒータを埋設したことを特徴とする冷蔵庫。」
と訂正する。
　これに伴い、特許請求の範囲の記載と発明の詳細な説明の記載との整合を図るため、明瞭でない記載の釈明を目的として、明細書第１３頁第２７〜２９行目「また、第４の仕切部（縦）を第１〜第３の仕切部、及び第４の仕切部（横）を取付た後に組込む構造とし、第４の仕切部（縦）の冷蔵庫前面部に、露付き防止のためのヒータを埋設したものである。」を「また、冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、前記冷蔵庫本体を上下に分割して上側に前記冷蔵室を形成する第１の仕切部と、この第１の仕切部によって仕切られた前記本体の下側後方に、冷却器を有する冷却器室を区画形成する第２の仕切部と、この第２の仕切部の前側を上下に分割して下側に冷凍室を形成する第３の仕切部と、前記第１の仕切部と前記第３の仕切部との間の空間を２つに分割し、前記第３の仕切部の上に前記野菜室を形成する第４の仕切部（横）と、前記第１の仕切部と前記第４の仕切部（横）との間の空間を左右２つに分割し、前記貯氷室と前記切替室を並列に形成する第４の仕切部（縦）とを備え、前記第４の仕切部（縦）を前記第１〜第３の仕切部、及び第４の仕切部（横）を取り付けた後に組み込む構造とし、前記第４の仕切部（縦）の冷蔵庫前部に、露付き防止のためのヒータを埋設したものである。」と訂正する。
ｉｉｉ．訂正事項ｃ
　特許請求の範囲の請求項１〜１７において、特許請求の範囲の減縮を目的として、もとの請求項１５及び請求項１６を削除し、請求項１７を新たな請求項１５に訂正する。（請求項対応表参照）。
　また、特許請求の範囲の記載と発明の詳細な説明の記載との整合を図るため、明瞭でない記載の釈明を目的として、発明の詳細な説明の課題を解決するための手段の欄からもとの段落「００１６」、「００２３」、「００２６」、「００２７」と、発明の効果の欄からもとの段落「０１０５」、「０１１２」、「０１１５」、「０１１６」とを削除し、もとの段落「００１７」以下の段落番号を繰り上げ「００１６」〜「０１０９」と訂正し、さらに、段落「０１０９」（訂正前の段落「０１１７」）の「請求項１７」を「請求項１５」に訂正する。
（５４）【発明の名称】
冷蔵庫
（５７）【特許請求の範囲】
　【請求項１】　冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、冷気を生成する冷却器と、前記冷気を各室に供給するファン装置とを有し、前記冷凍室に連通した冷却室と、前記冷凍室に前記冷気を供給するための冷凍室用送風路と、前記貯氷室に前記冷気を供給するための貯氷室用送風路と、前記貯氷室から前記冷気を前記冷却室に戻すための貯氷室用帰還風路と、前記貯氷室用送風路を通る前記冷気の一部を分流させて、前記切替室に送る切替室用送風路と、前記切替室から前記冷気を前記冷却室に戻すための切替室用帰還風路と、前記切替室用送風路を通る前記冷気の一部を分流させて、前記冷蔵室に送る冷蔵室用送風路と、前記冷蔵室に送られた前記冷気を前記野菜室に戻すための冷蔵室用帰還風路と、前記野菜室に送られた前記冷気を前記冷却器に戻すための野菜室用帰還風路と、前記冷蔵室用帰還風路の戻り冷気の一部を、直接前記野菜室用帰還風路に戻すための第２の冷蔵室用帰還風路と、を備えたことを特徴とする冷蔵庫。
　【請求項２】　冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、冷気を生成する冷却器と、前記冷気を各室に供給するファン装置とを有し、前記冷凍室に連通した冷却室と、前記冷凍室に前記冷気を供給するための冷凍室用送風路と、前記貯氷室に前記冷気を供給するための貯氷室用送風路と、前記貯氷室から前記冷気を前記冷却室に戻すための貯氷室用帰還風路と、前記切替室に前記冷気を供給するための切替室用送風路と、前記切替室から前記冷気を前記冷却室に戻すための切替室用帰還風路と、前記切替室用送風路を通る前記冷気の一部を分流させて、前記冷蔵室に送る冷蔵室用送風路と、前記冷蔵室に送られた前記冷気を前記野菜室に戻すための冷蔵室用帰還風路と、前記野菜室に送られた前記冷気を前記冷却器に戻すための野菜室用帰還風路と、前記冷蔵室用帰還風路の戻り冷気の一部を、直接前記野菜室用帰還風路に戻すための第２の冷蔵室用帰還風路と、を備えたことを特徴とする冷蔵庫。
　【請求項３】　冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、冷気を生成する冷却器と、前記冷気を各室に供給するファン装置とを有し、前記冷凍室に連通した冷却室と、前記冷凍室に前記冷気を供給するための冷凍室用送風路と、前記貯氷室に前記冷気を供給するための貯氷室用送風路と、前記貯氷室から前記冷気を前記冷却室に戻すための貯氷室用帰還風路と、前記切替室に前記冷気を供給するための切替室用送風路と、前記切替室から前記冷気を前記冷却室に戻すための切替室用帰還風路と、前記貯氷室用送風路を通る前記冷気の一部を分流させて、前記冷蔵室に送る冷蔵室用送風路と、前記冷蔵室に送られた前記冷気を前記野菜室に戻すための冷蔵室用帰還風路と、前記野菜室に送られた前記冷気を前記冷却器に戻すための野菜室用帰還風路と、前記冷蔵室用帰還風路の戻り冷気の一部を、直接前記野菜室用帰還風路に戻すための第２の冷蔵室用帰還風路と、を備えたことを特徴とする冷蔵庫。
　【請求項４】　冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、冷気を生成する冷却器と、前記冷気を各室に供給するファン装置とを有し、前記冷凍室に連通した冷却室と、前記冷凍室に前記冷気を供給するための冷凍室用送風路と、前記貯氷室に前記冷気を供給するための貯氷室用送風路と、前記貯氷室から前記冷気を前記冷却室に戻すための貯氷室用帰還風路と、前記切替室に前記冷気を供給するための切替室用送風路と、前記切替室から前記冷気を前記冷却室に戻すための切替室用帰還風路と、前記冷蔵室に前記冷気を供給するための冷蔵室用送風路と、前記冷蔵室に送られた前記冷気を前記野菜室に戻すための冷蔵室用帰還風路と、前記野菜室に送られた前記冷気を前記冷却器に戻すための野菜室用帰還風路と、前記冷蔵室用帰還風路の戻り冷気の一部を、直接前記野菜室用帰還風路に戻すための第２の冷蔵室用帰還風路と、を備えたことを特徴とする冷蔵庫。
　【請求項５】　冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、前記冷蔵庫本体を上下に分割して上側に前記冷蔵室を形成する第１の仕切部と、この第１の仕切部によって仕切られた前記本体の下側後方に、冷却器を有する冷却器室を区画形成する第２の仕切部と、を有し、前記貯氷室から冷気を前記冷却器室に戻すための貯氷室用帰還風路を前記第２の仕切部で区画された冷却器室の前記冷却器の横に設け、前記切替室から冷気を前記冷却器室に戻すため切替室用帰還風路を前記貯氷室用帰還風路と反対側の冷却器の横に設け、前記冷蔵室から冷気を戻すための冷蔵室用帰還風路と混合することなく前記冷却器室に冷気を戻す構造としたことを特徴とする冷蔵庫。
　【請求項６】　前記切替室の背面に、前記切替室と前記冷蔵室とを温度制御するツインダンパーを備えたことを特徴とする請求項４記載の冷蔵庫。
　【請求項７】　冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、前記冷蔵庫本体を上下に分割して上側に前記冷蔵室を形成する第１の仕切部と、この第１の仕切部によって仕切られた前記本体の下側後方に、冷却器を有する冷却器室を前記冷却器を取り付け後に前記冷蔵庫本体前面より取り付けられて区画し、成形断熱材を有する第２の仕切部と、この第２の仕切部の前側を上下に分割して下側に冷凍室を形成する第３の仕切部と、前記第１の仕切部と前記第３の仕切部との間の空間を３つの室に分割し、前記第１の仕切部の下に前記貯氷室と前記切替室を並列に形成し、前記第３の仕切部の上に前記野菜室を形成する逆Ｔ字型の第４の仕切部と、を備えたことを特徴とする冷蔵庫。
　【請求項８】　前記第２の仕切部に、前記冷却室から各室へ前記冷気を供給するための送風路と、前記冷却室へ各室から前記冷気を戻すための帰還風路とを設けたことを特徴とする請求項７記載の冷蔵庫。
　【請求項９】　前記第２の仕切部に、冷気を各室に供給するファン装置を一体に設けたことを特徴とする請求項７記載の冷蔵庫。
　【請求項１０】　前記第２の仕切部に、前記切替室と前記冷蔵室とを温度制御するダンパー装置を備えたことを特徴とする請求項７記載の冷蔵庫。
　【請求項１１】　前記第４の仕切部を前記冷蔵庫本体の前面から挿入し、第４の仕切部前面よりネジにて冷蔵庫本体に固定する構造としたことを特徴とする請求項７記載の冷蔵庫。
　【請求項１２】　前記第２の仕切部の貯蔵室側を構成する部品の、前記切替室と前記貯氷室間にスリットを設けたことを特徴とする請求項７記載の冷蔵庫。
　【請求項１３】　冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、前記冷蔵庫本体を上下に分割して上側に前記冷蔵室を形成する第１の仕切部と、この第１の仕切部によって仕切られた前記本体の下側後方に、冷却器を有する冷却器室を区画形成する第２の仕切部と、この第２の仕切部の前側を上下に分割して下側に冷凍室を形成する第３の仕切部と、前記第１の仕切部と前記第３の仕切部との間の空間を２つに分割し、前記第３の仕切部の上に前記野菜室を形成する第４の仕切部（横）と、前記第１の仕切部と前記第４の仕切部（横）との間の空間を左右２つに分割し、前記貯氷室と前記切替室を並列に形成する第４の仕切部（縦）と
を備え、前記第４の仕切部（縦）を前記第１〜第３の仕切部、及び第４の仕切部（横）を取付た後に組込む構造としたことを特徴とする冷蔵庫。
　【請求項１４】　
冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、前記冷蔵庫本体を上下に分割して上側に前記冷蔵室を形成する第１の仕切部と、この第１の仕切部によって仕切られた前記本体の下側後方に、冷却器を有する冷却器室を区画形成する第２の仕切部と、この第２の仕切部の前側を上下に分割して下側に冷凍室を形成する第３の仕切部と、前記第１の仕切部と前記第３の仕切部との間の空間を２つに分割し、前記第３の仕切部の上に前記野菜室を形成する第４の仕切部（横）と、前記第１の仕切部と前記第４の仕切部（横）との間の空間を左右２つに分割し、前記貯氷室と前記切替室を並列に形成する第４の仕切部（縦）とを備え、前記第４の仕切部（縦）を前記第１〜第３の仕切部、及び第４の仕切部（横）を取り付けた後に組み込む構造とし、前記第４の仕切部（縦）の冷蔵庫前部に、露付き防止のためのヒータを埋設したことを特徴とする冷蔵庫。
　
【請求項１５】
【発明の詳細な説明】
　【０００１】
　【発明の属する技術分野】
　この発明は、本体の上部に冷蔵室、この冷蔵室の下部と本体の最下部とに冷凍室を設け、これらの冷凍室の間に野菜室を設けた冷蔵庫に関するものである。
　【０００２】
　【従来の技術】
　従来の冷蔵庫は、外箱と内箱の間に断熱材を発砲充填して形成される庫内を複数の温度帯で仕切って各食品の温度に適した複数の貯蔵室を設けている。従来、上部に冷凍室、中央に冷蔵室、下部に野菜室を設けたものが主流であったが、近年、多様なレイアウトの冷蔵庫が提案されている。
　【０００３】
　例えば、図２５に示す従来の冷蔵庫は、中央に冷凍室２００、２５０を配置したミッドフリーザーと呼ばれる冷蔵庫である。その具体的な構造は、冷蔵庫１の最上部に開閉ドアを備えた冷蔵室１００、中央に２段に分かれて配置される引き出しドアを備えた冷凍室２００、２５０、最下部に引き出しドアを備えた野菜室３００を配置している。
　【０００４】
　しかし、冷蔵室１００の使い勝手は向上するものの、使用頻度が少ない冷凍室２００、２５０より下方に野菜室３００を配置しているために、しゃがみ姿勢で野菜室３００を利用しなければならず、野菜室３００の使い勝手が悪いと言える。特に野菜は鮮度がすぐ悪くなることからすれば、常に鮮度を監視しなければならない野菜室３００を冷凍食品の長期保存を行う冷凍室２００、２５０より下方に配置することは、その使用実態にそぐわないものである。
　【０００５】
　また、図２６に示す他の従来の冷蔵庫は、中央に野菜室３００を配置した真ん中野菜室と呼ばれる冷蔵庫である。その具体的な構造は、最下部に引き出しドアを備えた冷凍室２５０を配置し、その上部に貯氷室２０２を内部に配置した冷凍室２００を配置し、その上の冷蔵庫１中央部に野菜室３００を配置している。
　【０００６】
　しかし、野菜室３００の使い勝手は向上するものの、特に夏場など使用頻度が多くなる貯氷室２０２が野菜室３００より下方に配置され屈み姿勢で利用しなければならず、貯氷室２０２の使い勝手が悪いと言える。さらに氷は、そのまま利用するため野菜室３００の下方では野菜の汚れなどが付着する可能性もあり、衛生的に問題である。
　【０００７】
　【発明が解決しようとする課題】
　従来の冷蔵庫は以上のように構成されているので、図２５示す従来の冷蔵庫では、冷蔵室１００の使い勝手は向上するものの、使用頻度が少ない冷凍室２００、２５０より下方に野菜室３００を配置しているために、しゃがみ姿勢で野菜室３００を利用しなければならず、野菜室３００の使い勝手が悪いという問題点があった。
　【０００８】
　また、図２６に示す他の従来の冷蔵庫では、野菜室３００の使い勝手は向上するものの、特に夏場など使用頻度が多くなる貯氷室２０２が野菜室３００より下方に配置され屈み姿勢で利用しなければならず、貯氷室２０２の使い勝手が悪いという問題点があった。さらに氷をそのまま利用するため野菜室３００の下方では野菜の汚れなどが付着する可能性もあり、衛生的に問題であった。
　【０００９】
　この発明は、以上のような問題点を解決するためになされたもので、冷蔵室、野菜室、冷凍室それぞれの部屋を使いやすい位置に配置し、使い勝手を向上させた冷凍冷蔵庫を提供することを目的とする。また、従来のように野菜室の使い勝手を重視し、貯氷室が使いにくい下方に位置するのではなく貯氷室も野菜室同様に使いやすく、衛生的に配慮した冷凍冷蔵庫を提供することを目的とする。また、ユーザによる食生活の違いや季節による保存食品の種類の違いなどによる必要温度帯の容量の変化に対応する冷凍冷蔵庫を提供することを目的とする。さらに、基本的に使いやすいように貯氷室、切替室、野菜室、冷蔵室を使いやすい位置に配置し、どんなタイプのユーザにも使いやすいようなレイアウトを実現した冷凍冷蔵庫を提供することを目的とする。
　【００１０】
　【課題を解決するための手段】
　この発明に係る冷蔵庫は、冷蔵庫本体と、この本体の上部に設けられ、食品等を冷蔵する冷蔵室と、本体の冷蔵室の下に設けられ、冷凍温度帯から冷蔵、野菜、チルド等の温度帯に切り替え可能な切替室と、本体の冷蔵室の下で切替室に並列に設けられ、氷を貯える貯氷室と、本体の下部に設けられ、食品等を冷凍する冷凍室と、並列に設置された切替室及び貯氷室と冷凍室との間に、野菜等を収納する野菜室と、冷気を生成する冷却器と、冷気を各室に供給するファン装置とを有し、冷凍室に連通した冷却室と、冷凍室に冷気を供給するための冷凍室用送風路と、貯氷室に冷気を供給するための貯氷室用送風路と、貯氷室から冷気を冷却室に戻すための貯氷室用帰還風路と、貯氷室用送風路を通る冷気の一部を分流させて、切替室に送る切替室用送風路と、切替室から冷気を冷却室に戻すための切替室用帰還風路と、切替室用送風路を通る冷気の一部を分流させて、冷蔵室に送る冷蔵室用送風路と、冷蔵室に送られた冷気を野菜室に戻すための冷蔵室用帰還風路と、野菜室に送られた冷気を冷却器に戻すための野菜室用帰還風路と、冷蔵室用帰還風路の戻り冷気の一部を、直接野菜室用帰還風路に戻すための第２の冷蔵室用帰還風路と、を備えたものである。
　【００１１】
　また、冷蔵庫本体と、この本体の上部に設けられ、食品等を冷蔵する冷蔵室と、本体の冷蔵室の下に設けられ、冷凍温度帯から冷蔵、野菜、チルド等の温度帯に切り替え可能な切替室と、本体の冷蔵室の下で切替室に並列に設けられ、氷を貯える貯氷室と、本体の下部に設けられ、食品等を冷凍する冷凍室と、並列に設置された切替室及び貯氷室と冷凍室との間に、野菜等を収納する野菜室と、冷気を生成する冷却器と、冷気を各室に供給するファン装置とを有し、冷凍室に連通した冷却室と、冷凍室に冷気を供給するための冷凍室用送風路と、貯氷室に冷気を供給するための貯氷室用送風路と、貯氷室から冷気を冷却室に戻すための貯氷室用帰還風路と、切替室に冷気を供給するための切替室用送風路と、切替室から冷気を冷却室に戻すための切替室用帰還風路と、切替室用送風路を通る冷気の一部を分流させて、冷蔵室に送る冷蔵室用送風路と、冷蔵室に送られた冷気を野菜室に戻すための冷蔵室用帰還風路と、野菜室に送られた冷気を冷却器に戻すための野菜室用帰還風路と、冷蔵室用帰還風路の戻り冷気の一部を、直接野菜室用帰還風路に戻すための第２の冷蔵室用帰還風路と、を備えたものである。
　【００１２】
　また、冷蔵庫本体と、この本体の上部に設けられ、食品等を冷蔵する冷蔵室と、本体の冷蔵室の下に設けられ、冷凍温度帯から冷蔵、野菜、チルド等の温度帯に切り替え可能な切替室と、本体の冷蔵室の下で切替室に並列に設けられ、氷を貯える貯氷室と、本体の下部に設けられ、食品等を冷凍する冷凍室と、並列に設置された切替室及び貯氷室と冷凍室との間に、野菜等を収納する野菜室と、冷気を生成する冷却器と、冷気を各室に供給するファン装置とを有し、冷凍室に連通した冷却室と、冷凍室に冷気を供給するための冷凍室用送風路と、貯氷室に冷気を供給するための貯氷室用送風路と、貯氷室から冷気を冷却室に戻すための貯氷室用帰還風路と、切替室に冷気を供給するための切替室用送風路と、切替室から冷気を冷却室に戻すための切替室用帰還風路と、貯氷室用送風路を通る冷気の一部を分流させて、冷蔵室に送る冷蔵室用送風路と、冷蔵室に送られた冷気を野菜室に戻すための冷蔵室用帰還風路と、野菜室に送られた冷気を冷却器に戻すための野菜室用帰還風路と、冷蔵室用帰還風路の戻り冷気の一部を、直接野菜室用帰還風路に戻すための第２の冷蔵室用帰還風路と、を備えたものである。
　【００１３】
　また、冷蔵庫本体と、この本体の上部に設けられ、食品等を冷蔵する冷蔵室と、本体の冷蔵室の下に設けられ、冷凍温度帯から冷蔵、野菜、チルド等の温度帯に切り替え可能な切替室と、本体の冷蔵室の下で切替室に並列に設けられ、氷を貯える貯氷室と、本体の下部に設けられ、食品等を冷凍する冷凍室と、並列に設置された切替室及び貯氷室と冷凍室との間に、野菜等を収納する野菜室と、冷気を生成する冷却器と、冷気を各室に供給するファン装置とを有し、冷凍室に連通した冷却室と、冷凍室に冷気を供給するための冷凍室用送風路と、貯氷室に冷気を供給するための貯氷室用送風路と、貯氷室から冷気を冷却室に戻すための貯氷室用帰還風路と、切替室に冷気を供給するための切替室用送風路と、切替室から冷気を冷却室に戻すための切替室用帰還風路と、冷蔵室に冷気を供給するための冷蔵室用送風路と、冷蔵室に送られた冷気を野菜室に戻すための冷蔵室用帰還風路と、野菜室に送られた冷気を冷却器に戻すための野菜室用帰還風路と、冷蔵室用帰還風路の戻り冷気の一部を、直接野菜室用帰還風路に戻すための第２の冷蔵室用帰還風路と、を備えたものである。
　【００１４】
　また、冷蔵庫本体と、この本体の上部に設けられ、食品等を冷蔵する冷蔵室と、本体の冷蔵室の下に設けられ、冷凍温度帯から冷蔵、野菜、チルド等の温度帯に切り替え可能な切替室と、本体の冷蔵室の下で切替室に並列に設けられ、氷を貯える貯氷室と、本体の下部に設けられ、食品等を冷凍する冷凍室と、並列に設置された切替室及び貯氷室と冷凍室との間に、野菜等を収納する野菜室と、冷蔵庫本体を上下に分割して上側に冷蔵室を形成する第１の仕切部と、この第１の仕切部によって仕切られた前記本体の下側後方に、冷却器を有する冷却器室を区画形成する第２の仕切部と、を有し、貯氷室から冷気を冷却器室に戻すための貯氷室用帰還風路を第２の仕切部で区画された冷却器室の冷却器の横に設け、切替室から冷気を冷却器室に戻すため切替室用帰還風路を貯氷室用帰還風路と反対側の冷却器の横に設け、冷蔵室から冷気を戻すための冷蔵室用帰還風路と混合することなく冷却器室に冷気を戻す構造としたものである。
　【００１５】
　また、切替室の背面に、切替室と冷蔵室とを温度制御するツインダンパーを備えたものである。
　
【００１６】
　また、冷蔵庫本体と、この本体の上部に設けられ、食品等を冷蔵する冷蔵室と、本体の冷蔵室の下に設けられ、冷凍温度帯から冷蔵、野菜、チルド等の温度帯に切り替え可能な切替室と、本体の冷蔵室の下で切替室に並列に設けられ、氷を貯える貯氷室と、本体の下部に設けられ、食品等を冷凍する冷凍室と、並列に設置された切替室及び貯氷室と冷凍室との間に、野菜等を収納する野菜室と、冷蔵庫本体を上下に分割して上側に冷蔵室を形成する第１の仕切部と、この第１の仕切部によって仕切られた本体の下側後方に、冷却器を有する冷却器室を冷却器を取り付け後に冷蔵庫本体前面より取り付けられて区画し、成形断熱材を有する第２の仕切部と、この第２の仕切部の前側を上下に分割して下側に冷凍室を形成する第３の仕切部と、第１の仕切部と第３の仕切部との間の空間を３つの室に分割し、第１の仕切部の下に貯氷室と切替室を並列に形成し、第３の仕切部の上に野菜室を形成する逆Ｔ字型の第４の仕切部と、を備えたものである。
　
【００１７】
　また、第２の仕切部に、冷却室から各室へ冷気を供給するための送風路と、冷却室へ各室から冷気を戻すための帰還風路とを設けたものである。
　
【００１８】
　また、第２の仕切部に、冷気を各室に供給するファン装置を一体に設けたものである。
　
【００１９】
　また、第２の仕切部に、切替室と冷蔵室とを温度制御するダンパー装置を備えたものである。
　
【００２０】
　また、第４の仕切部を冷蔵庫本体の前面から挿入し、第４の仕切部前面よりネジにて冷蔵庫本体に固定する構造としたものである。
　
【００２１】
　また、第２の仕切部の貯蔵室側を構成する部品の、切替室と貯氷室間にスリットを設けたものである。
　
【００２２】
　また、冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、前記冷蔵庫本体を上下に分割して上側に前記冷蔵室を形成する第１の仕切部と、この第１の仕切部によって仕切られた前記本体の下側後方に、冷却器を有する冷却器室を区画形成する第２の仕切部と、この第２の仕切部の前側を上下に分割して下側に冷凍室を形成する第３の仕切部と、前記第１の仕切部と前記第３の仕切部との間の空間を２つに分割し、前記第３の仕切部の上に前記野菜室を形成する第４の仕切部（横）と、前記第１の仕切部と前記第４の仕切部（横）との間の空間を左右２つに分割し、前記貯氷室と前記切替室を並列に形成する第４の仕切部（縦）と
を備え、前記第４の仕切部（縦）を前記第１〜第３の仕切部、及び第４の仕切部（横）を取付た後に組込む構造としたものである。
　
【００２３】
　また、
冷蔵庫本体と、この本体の上部に設けられ、食品等を冷蔵する冷蔵室と、前記本体の前記冷蔵室の下に設けられ、冷凍温度帯から冷蔵、野菜、チルド等の温度帯に切り替え可能な切替室と、前記本体の前記冷蔵室の下で前記切替室に並列に設けられ、氷を貯える貯氷室と、前記本体の下部に設けられ、食品等を冷凍する冷凍室と、並列に設置された前記切替室及び貯氷室と前記冷凍室との間に、野菜等を収納する野菜室と、前記冷蔵庫本体を上下に分割して上側に前記冷蔵室を形成する第１の仕切部と、この第１の仕切部によって仕切られた前記本体の下側後方に、冷却器を有する冷却器室を区画形成する第２の仕切部と、この第２の仕切部の前側を上下に分割して下側に冷凍室を形成する第３の仕切部と、前記第１の仕切部と前記第３の仕切部との間の空間を２つに分割し、前記第３の仕切部の上に前記野菜室を形成する第４の仕切部（横）と、前記第１の仕切部と前記第４の仕切部（横）との間の空間を左右２つに分割し、前記貯氷室と前記切替室を並列に形成する第４の仕切部（縦）とを備え、前記第４の仕切部（縦）を前記第１〜第３の仕切部、及び第４の仕切部（横）を取り付けた後に組み込む構造とし、前記第４の仕切部（縦）の冷蔵庫前部に、露付き防止のためのヒータを埋設したものである。
　
【００２４】
　また、冷蔵庫本体と、この本体の上部に設けられ、食品等を冷蔵する冷蔵室と、本体の冷蔵室の下に設けられ、冷凍温度帯から冷蔵、野菜、チルド等の温度帯に切り替え可能な切替室と、本体の冷蔵室の下で切替室に並列に設けられ、氷を貯える貯氷室と、本体の下部に設けられ、食品等を冷凍する冷凍室と、並列に設置された切替室及び貯氷室と冷凍室との間に、野菜等を収納する野菜室と、冷蔵庫本体を上下に分割する第１の仕切部と、第１の仕切部の上を３つの室に分割し、第１の仕切部の上に貯氷室と切替室を並列に形成し、冷蔵庫本体上部に冷蔵室を形成するＴ字型の第５の仕切部と、この第１の仕切部によって仕切られた本体の下側後方に、冷却器を有する冷却器室を区画形成する第２の仕切部と、この第２の仕切部の前側を上下に分割して上側に野菜室を形成し、下側に冷凍室を形成する第３の仕切部と、第１の仕切部によって仕切られた本体の上側後方に、冷蔵室、貯氷室、及び切替室用風路を有する一体の冷気ダクトと、を備えたものである。
　
【００２５】
　【発明の実施の形態】
　実施の形態１．
　以下、この発明の実施の形態１を図面を参照して説明する。図１はこの発明の実施の形態１を示す図で、冷蔵庫の正面図である。図において、１は冷蔵庫本体であり、冷蔵庫本体１の最上部に開閉ドアを備えて配置される冷蔵室１００と、冷蔵室１００の下方に配置される引き出しドアを備えた第１の冷凍室である冷凍室２００と、冷蔵庫本体１の最下部に配置される引き出しドアを備えた第２の冷凍室である冷凍室２５０と、冷凍室２００と冷凍室２５０との間に引き出しドアを備えた野菜室３００とで構成される。
　
【００２６】
　冷凍室２００には収納ケース２０１が設置されており食品を収納することができる。野菜室３００にも同様に収納ケース３０１が設置されており野菜等の食品を収納することができる。また、冷凍室２５０内に収納ケース２５１が設置されており食品を収納することができる。特に冷凍室２００には比較的使用頻度が高い食品、例えば弁当用の冷凍食品やアイスクリームなどを収納し、冷凍室２５０は長期保存の冷凍食品、例えば買い置きに肉や魚の素材食品を収納することで分離保存が可能である。
　
【００２７】
　また、冷凍室２００の高さ寸法は、フリージング、短期保存用のため冷凍室２５０より小さい。フリージングは食品を薄くして行なう方が質のよい物が出来るので高さ寸法は、ストック用の冷凍室２５０より小さくて良い。逆にストック用の冷凍室２５０は高さ寸法を高くし、ストック容量を確保している。野菜室は腰を屈めずに出し入れが可能な冷蔵庫本体１の中央部に位置しており、大きな野菜類も収納しやすい使い勝手がよいものである。
　
【００２８】
　図２はこの発明の実施の形態１を示す図で、風路の構成を示す側面断面図である。図に示すように、冷却器３で冷却された冷気はファン装置であるファン２によって冷蔵庫本体１に循環される。冷却器３で冷却された冷気は下段の冷凍室２５０用冷凍室用送風路５を通り、送風される。また、冷却器３で冷却された冷気は上段の冷凍室２００用冷凍室送風路４を通り、上段冷凍室２００にも送風される。冷凍室送風路４を通った一部の冷気は更に上段の冷蔵室１００へと送風され冷蔵室１００を冷却する。野菜室３００は冷蔵室１００の戻り冷気を冷蔵室用帰還風路８より循環させ冷却される、そして、野菜室用帰還風路９より冷却器室３に戻される。
　
【００２９】
　上述したように、冷凍室が上下に分離している本実施の形態においては冷凍室用の冷気送風路を上下に分離して有している。
　
【００３０】
　実施の形態２．
以下、この発明の実施の形態２を図面を参照して説明する。図３はこの発明の実施の形態２を示す図で、冷蔵庫の正面図である。図において、２０２は冷凍室２００内に設置されている貯氷室である。貯氷室２０２は、市販の製氷皿や容器で氷を作り、その氷を保存するためのスペースである。自動製氷機の場合には、自動製氷機で作られた氷がためられるスペースである。
　
【００３１】
　貯氷室２０２に保存される氷は冷凍室に収納されるものの内、比較的使用頻度が高くかつ、そのまま使用されるため冷蔵庫本体１の中央部に位置し、かつ野菜室３００の上方に位置することで使い勝手ばかりでなく、衛生面においても泥などのつきやすい野菜類を収納する野菜室３００の上方に位置することで安心し使用できるものである。
　
【００３２】
　実施の形態３．
　以下、この発明の実施の形態３を図面を参照して説明する。図４はこの発明の実施の形態３を示す図で、冷凍冷蔵庫の正面図である。図４（ａ）において、４００は冷蔵室１００の下部に配置される引き出しドアを備えた冷凍温度帯（−１８℃）から冷蔵、野菜、チルドの温度帯に切り替えることの出来る第１の切替室である切替室である。
　
【００３３】
　５００は、切替室４００と最下部に配置された冷凍室２５０との間で、冷蔵庫本体１の中央部に配置される引き出しドアを備えた冷蔵、野菜、チルドなどの０℃以上の温度帯に切り替えることの出来る第２の切替室である他の切替室である。切替室４００には収納ケース４０１が設置されており、さまざまな食品の収納が可能である。同様に切替室５００にも収納ケース５０１が設置されている。また、切替室５００についても切替室４００と同様に冷凍室に切替えても良い。
　
【００３４】
　例えば、切替室４００をチルド温度帯（０℃）にし、切替室５００を野菜室にして使用すれば食品を凍らさずに長持ちさせるチルド室と野菜室が最も使いやすい位置に配置することが出来、生物思考の方には使い勝手の良い冷蔵庫となる。肉や魚も一週間程度であればチルドに収納しておいた方が、冷凍するより解凍の手間がなく便利であり、おいしい。野菜も使用頻度が高いため（キャベツやレタスなど取出し、使用後に再度収納するため野菜室の開閉頻度は他の部屋より多い）中央に位置していることで毎日の取出しはチルド室と野菜室そして冷蔵室で使いやすい。
　
【００３５】
　また、季節によっては切替室４００を冷凍温度帯（−１８℃）に切り替え夏場などアイスクリームや氷などを使いやすい位置で、切替室５００をチルドに切り替え野菜から肉魚まで幅広く保存することで保存性も向上し使い勝手もよい冷蔵庫の配置が可能である。
　
【００３６】
　また、切替室４００を野菜室に切替室５００を冷凍室に切替た場合は、下段の冷凍室２５０と合わせ、冷凍室の容量を大きく出来るとともに冷凍室が真ん中の冷凍志向の使いやすいレイアウトとなる。
　
【００３７】
　さらに、図４（ｂ）に示す形態において、冷蔵室１００、切替室４００、切替室５００、冷凍室２５０のすべてを切替可能にしてもよい。すべての部屋を冷凍から野菜までの温度帯に切替可能にすることも良いが、冷蔵室１００は冷蔵とチルド、その他の部屋は冷凍から野菜といろいろな組み合わせが可能である。例えば、冷蔵室１００はチルドに切替えることによってその他の部屋を冷凍に切替えて３段の冷凍室の冷蔵庫が可能である。
　
【００３８】
　例えば、冷凍は不要の家庭においては加工食品は冷蔵室１００をチルドにして保存し、切替室４００をチルドにして肉や魚の素材を保存、切替室５００と冷凍室２５０を野菜に切替えて、使用頻度の高い野菜、例えば、サラダに使用するようなレタス、キュウリなどは使いやすい真ん中の切替室５００の野菜室に収納し、ジャガイモやタマネギなどのストック野菜を下段の冷凍室２５０を野菜に切替えた野菜室に収納することで分離保存が出来、整理性も向上する。このとき貯氷コーナーについては、その部屋が冷凍温度になるかわからない、また、冷凍温度がない可能性もあるため、分離式の貯氷コーナーとし、どの部屋にも移動可能のように構成すると使いやすい。
　
【００３９】
　実施の形態４．
　以下、この発明の実施の形態４を図面を参照して説明する。図５はこの発明の実施の形態４を示す図で、冷蔵庫の正面図である。図５（ａ）において、６００は冷蔵室１００の下部に配置される引き出しドアを備えた貯氷室、７００は貯氷室６００に並列に配置され、引き出しドアを備えた冷凍温度帯（−１８℃）から冷蔵、野菜、チルドの温度帯に切り替えることの出来る切替室である。
　
【００４０】
　貯氷室６００と切替室７００とには収納ケース６０１と７０１が設置されている。貯氷室６００と切替室７００とは断熱壁で天井面、側面、背面ともに完全に仕切られている。
　【００４１】
　貯氷室６００と切替室７００との下部には野菜室３００が、冷蔵庫本体１の最下部には冷凍室２５０がそれぞれ引き出しドアを備えて配置されている。野菜室３００と冷凍室２５０とは、それぞれの温度帯が５℃と−１８℃と異なるので、断熱壁で仕切られている。
　
【００４２】
　例えば、切替室７００をチルドに切り替えて使用した場合は、冷蔵室１００、貯氷室６００、チルド室７００、野菜室３００が冷蔵庫本体１の中央部に位置することになり、特に冷凍させずに保存を好むチルド派のユーザに使いやすい冷蔵庫になる。なぜなら、一週間程度の肉魚などの生物食品はチルド室７００に収納し、良く使う氷は独立した使いやすい貯氷室６００よりいつでも取り出しが可能である。野菜室３００は、前記の実施形態３で説明したように開閉頻度が多いので使いやすい真ん中に位置し、肉・魚・野菜・氷そして冷蔵室１００は目線の前にある使いやすい位置にあるからである。
　
【００４３】
　また、切替室７００を冷凍室に切り替えた場合は、切替室７００へ保存する冷凍食品は比較的使用頻度の高いものや、早く使用したほうが良い食品（弁当ようの冷凍食品やアイスクリーム、いたみやすいホームフリージングした食品）を保存し、最下部の冷凍室２５０には長期保存する食品を保存することで分離することが可能となり、しいては冷凍室７００、貯氷室６００、野菜室３００、冷蔵室１００とすべての冷蔵庫の温度帯を使いやすい位置に配置することが可能になり、冷凍室の容量も増やすことができる冷凍派のユーザに使いやすい冷蔵庫になる。
　
【００４４】
　さらに、図５（ｂ）において野菜室３００と冷凍室２５０をそれぞれ冷凍、パーシャル、チルド、冷蔵、野菜等の温度に切替可能な切替室３００と切替室２５０に構成しても良い。例えば、切替室３００を野菜室に切替室２５０を冷凍室に切替えれば前述の構成と同様になるが、逆に切替室３００を冷凍室、切替室２５０を野菜室に切替えれた場合は、冷凍が真ん中にしかも切替室７００を冷凍にするより容量を多く配置することが可能となり、特に冷凍を頻繁に、かつ容量的に多く使用する家庭においては使いやすい配置が可能である。この配置はとちらかと言えば野菜室より冷凍室重視型の家庭向けのレイアウトとなる。
　
【００４５】
　また、切替室３００と切替室２５０とを冷凍に切替えれば大容量の冷凍室が可能となり、年末年始等の冷凍食品が多い時期などの冷凍室容量不足の対応が可能となるなど、季節によっての切替が可能となる。よって、購入時から約１０年使用する冷蔵庫において、季節や生活環境の変化によって冷蔵庫の温度帯の配置を自由に変更可能の冷蔵庫は常に使用者の使いやすい状態に対応できる究極の形態となる。
　
【００４６】
　図６は、図５に示した冷蔵庫の風路の構成を示す正面断面図である。図６（ａ）において、２はファンで冷却器３で冷却された冷気を冷蔵庫本体１に循環させる。冷却器３で冷却された冷気は貯氷室用送風路２４を通り、吹出口２４ａより貯氷室６００に供給される。同様に冷凍室用送風路５を通り、吹出し口５ａより冷凍室２５０に供給される。
　
【００４７】
　切替室７００は、貯氷室用送風路２４を通る冷気の一部を切替室用送風路６に供給し、切替室用ダンパー６ａにより調節して切替室７００を冷却する。また、切替室用送風路６を通る冷気の一部を冷蔵室用送風路７に供給し、冷蔵室用ダンパー７ａにより調節して冷蔵室１００を冷却する。その冷蔵室１００に送られた冷気を戻すための吸込み口７ｂから吸込まれた冷気を冷蔵室用帰還風路８を野菜室３００に連通させて設け、野菜室３００を冷却する。
　
【００４８】
　野菜室３００に吹出し口９ａより冷蔵室１００より送られた冷気は野菜室３００を冷却した後に吸込み口９ｂを介して野菜室帰還風路９を通り、冷却器３に戻り口９ｃより戻される。
　
【００４９】
　貯氷室６００に吹出された冷気は吸込み口２４ｂより貯氷室帰還風路１１を介して冷却器３に戻り口４ｃより戻される。
　
【００５０】
　冷凍室２５０も同様に吸込み口５ｂより冷気を吸込み冷却器室３に戻される。切替室７００を冷却した冷気は、吸込み口６ｂより吸込まれ切替室用帰還風路１０を介して冷却器３に戻り口６ｃより戻される。
　
【００５１】
　特に、冷蔵室１００の帰還風路８を野菜室３００に連通させて設けることでスペースを有効に使用することが可能となっている。それぞれに独立して帰還風路を設けると送風路に容積を必要とし、食品の収納スペースを多く取ることが出来ない。
　
【００５２】
　図６（ｂ）は図５（ｂ）に示した冷蔵庫の風路構成を示す正面断面図である。図６（ａ）との相違点を中心に記載する。５は切替室２５０用送風路で冷却器３で冷却された冷気は切替室用送風路５を通り、切替室用ダンパー５ａにより設定温度に必要な冷気の量に調整して切替室２５０に供給され冷却される。１２は切替室３００用送風路で冷却器３で冷却された冷気は切替室用送風路１２を通り、切替室ダンパー１２ａにより設定温度に必要な冷気の量に調整して切替室３００に供給され冷却される。
　
【００５３】
　実施の形態５．
　図７は、実施の形態５による冷蔵庫の風路構成図である。上記実施の形態４では、切替室７００は、貯氷室６００を介して設けられた切替室用送風路６により送られた冷気を切替室用ダンパー６ａにより調節して切替室７００を冷却するが、図７に示すように、切替室７００の切替室用送風路１２を冷却器室３より直接送風されるように独立して設けてもよい。そのように構成することにより、切替室７００への風量が確保出来るため安定した温度制御が可能となる。
　
【００５４】
　実施の形態６．
　図８は、実施の形態６による冷蔵庫の風路構成図である。実施の形態４との相違点を中心に記載する。貯氷室用送風路２４を通る冷気の一部が冷蔵室用送風路７に供給されるように設けた点が相違する。これにより冷蔵室用ダンパー７ａと切替室用ダンパー６ａを別の送風路に設けてあるため、冷蔵室１００へ供給される風量が切替室用ダンパ−６ａに影響されず安定した風量が供給出来るため、安定した冷蔵室１００の温度制御が可能である。また同様に切替室７００へ供給される風量が冷蔵室用ダンパ−７ａに影響されず安定した風量が供給出来るため安定した切替室７００の温度制御が可能である。
　
【００５５】
　実施の形態７．
図９は、実施の形態７による冷蔵庫の風路構成図である。貯氷室用送風路２４、切替室用送風路６および冷蔵室用送風路７を各々独立に設けたもので、このことにより他の部屋の温度制御に影響されることなく安定した風量が供給出来るため、安定した各々の部屋の温度制御が可能である。また各冷気送風路が他の部屋を介せず独立の風路であるため、各風路の連結部が存在しないため冷気漏れシール等の部品点数、コストが削減できる。
　
【００５６】
　実施の形態８．
　図１０、実施の形態８による冷蔵庫の風路構成図である。切替室１００背面に設置された切替室用ダンパー６ａと冷蔵室用ダンパー７ａとが一体に構成されたツインダンパーにて、切替室７００と冷蔵室１００を温度制御するもので、これにより冷蔵室１００と切替室７００各々の複数の場所にダンパーを設置することが不要であり、省スペース化およびダンパーのコスト低減につながる。
　
【００５７】
　実施の形態９．
　図１１は、実施の形態９による冷蔵庫の風路構成図である。冷蔵室１００に送られた冷気を、吸込み口７ｂから戻すための冷蔵室用帰還風路８を野菜室３００に連通させて設け、戻り冷気の一部にて野菜室３００を冷却し、残りの戻り冷気は野菜室３００に吹出さず、第２の冷蔵室用帰還風路２２を介して直接野菜室帰還風路９をとおり、冷却器３に戻り口９ｃより戻されるもので、このことにより冷蔵室１００からの冷気戻りを野菜室３００の冷えすぎを防ぐために絞る必要がないため、戻り風路の圧損を減少させることが可能となり、冷蔵室１００を多量の冷気で冷却することができ、冷却スピード等の冷却性能を向上させることができる。
　
【００５８】
　実施の形態１０．
以下、この発明の実施の形態１０を図面を参照して説明する。図１２は実施の形態１０による冷蔵庫の側面断面図、図１３は第２の仕切部の構造を示す斜視図、図１４は第４の仕切部の構造を示す斜視図、図１５は冷蔵庫の風路構成図である。図において、３３は冷蔵庫１の下側後方に配置される冷却器室で、冷却器３と、冷却器３で冷却された冷気を循環させるファン２が収納されている。
　
【００５９】
　４０は冷蔵庫１を上下に分割し冷蔵室１００を区画する第１の仕切部、４１は第１の仕切部上板、４２は第１の仕切部下板、４３は第１の仕切部内の成形断熱材である。
　
【００６０】
　５０は第１の仕切部４０によって仕切られた冷蔵庫１の下側後方に冷却器室３３を区画する第２の仕切部、５１は第２の仕切部５０の前面を形成するファングリル、５２は第２の仕切部５０の後面を形成するエアガイド、５３はファングリル５１と、エアガイド５２の間に設けられた成形断熱材である。ファングリル５１には、貯氷室と切替室の間の熱伝導を避ける為、貯氷室と切替室の境にあたる部分にスリットを設けてある。このため、切替室がいかなる温度であっても、ファングリル５１の熱伝導による影響を受けない。
　
【００６１】
　２４ａ、６ａ、５ａ，９ａは、それぞれファングリルに設けられた貯氷室用吹出し口、切替室用吹出し口、冷凍室用吹出し口，野菜室用吹出し口である。２４ｂ、６ｂ、５ｂ、９ｂは、それぞれファングリルに設けられた貯氷室用吸込み口、切替室用吸込み口，冷凍室用吸込み口、野菜室用吸込み口である。１０、１１はそれぞれエアガイドで構成された切替室用帰還風路、貯氷室冷気帰還風路である。７は成形断熱材にもうけられた冷蔵室用送風路、１２は成形断熱材に設けられた切替室用送風路、８は冷蔵室用帰還風路、９は野菜室用帰還風路である。
　
【００６２】
　６０は第１の仕切部で分割された冷蔵庫１の下側前方を上下に分割し冷凍室２５０を区画する第３の仕切部、６１は冷凍室２５０と野菜室３００を仕切る冷蔵庫１の前縁部を構成する前縁仕切部、６２は第３の仕切部上板、６３は第３の仕切部下板、６４は第３の仕切部内の成形断熱材である。
　
【００６３】
　７０は貯氷室６００と切替室７００と野菜室３００を区画する逆Ｔ字型の第４の仕切部、７１は第４の仕切部上板、７２は第４の仕切部下板、７３は第４の仕切部内の成形断熱材、７４は貯氷室６００、切替室７００、野菜室３００の扉のガスケットの受面を形成する金属板である。
　
【００６４】
　次に、各仕切部の取付構造について説明する。第１の仕切部４０は、内箱３１と一体成形され成型時の熱で成形断熱材４３を内箱３１と接着する事で冷気や、水の漏れがないよう取付られている。
　
【００６５】
　第２の仕切部５０は、内箱３１に成形された凹形状に冷却器３を取付後、冷蔵庫前面より取り付け、冷却器室を区画する。第２の仕切部５０の外周は冷気、水漏れが無いようシール材が設けられている。
　
【００６６】
　第３の仕切部６０は、冷凍室１００と野菜室３００の扉のガスケット受面を構成する前縁仕切部６１と第２の仕切部５０との間に蓋をするように取り付けられる。また、第３の仕切部６０は冷凍室１００と野菜室３００の間に冷気、水漏れが無いよう第１の仕切部４０，第２の仕切部５０，内箱３２との接合面にはシールが施されている。
　
【００６７】
　第４の仕切部７０は、冷蔵庫に第２の仕切部５０を組込後、内箱３２に成形したガイド溝に沿って冷蔵庫前面よりスライドして取り付ける。第４の仕切部７０は冷蔵庫前面よりネジにて冷蔵庫本体１に取り付ける。
　
【００６８】
　次に風路構成について説明する。冷却器室３で冷却された冷気はファン２によって第２の仕切部５０内のエアガイド５２と成形断熱材５３とで構成された冷気送風路に供給される。ここで冷気は冷凍室用送風路５、貯氷室用送風路２４、冷蔵室用送風路７、切替室用送風路１２、野菜室用送付路１４に分配される。
　
【００６９】
　冷蔵室用送風路７に送られた冷気は、冷蔵室用ダンパ７ａを経て調節され冷蔵室冷気吹出し口より冷蔵室１００に供給される。冷蔵室１００を循環した冷気は、冷蔵室用吸込み口７ｂより冷蔵室用帰還風路８を介して、戻り口７ｃより冷却器室３３に戻される。
　
【００７０】
　切替室用送風路１２に送られた冷気は、切替室用ダンパ６ａを経て調節され切替室吹出し口より切替室７００に供給される。切替室７００を循環した冷気は、切替室吸込み口６ｂより切替室用帰還風路１０を介して、戻り口６ｃより冷却器室３３に戻される。
　
【００７１】
　貯氷室用送風路２４に送られた冷気は、貯氷室吹出し口２４ａより貯氷室６００に供給される。貯氷室６００を循環した冷気は、貯氷室吸込み口２４ｂより貯氷室用帰還風路１１を介して、戻り口２４ｃより冷却器室３３に戻される。
　
【００７２】
　冷凍室用送風路５に送られた冷気は、冷凍室吹出し口５ａより冷凍室２５０に供給される。冷凍室２５０を循環した冷気は、冷凍室吸込み口５ａより冷却器室３３に戻される。
　
【００７３】
　野菜室用送風路１４に送られた冷気は、吹出し口９ａより野菜室３００に供給される。野菜室３００を循環した冷気は、野菜室吸込み口９ｂより野菜室用帰還風路９を介して，戻り口９ｃより冷却器室３３に戻される。
　
【００７４】
　本実施の形態によれば切替室、野菜室を隣接する他室と断熱仕切壁で区切り、それぞれ専用の送風路と帰還風路を設けたため、冷蔵室、冷凍室、野菜室、チルド室等いかなる室にも設定できる。
　
【００７５】
　実施の形態１１．
以下、この発明の実施の形態１１を図面を参照して説明する。図１６は実施の形態１１による第１、第３の仕切部前部の分解図、図１７は仕切部前部の部分断面図、図１８は冷蔵庫本体発泡時の第１の仕切部付近の断面図、図１９、２０は冷蔵庫組立時の断面図である。図において、１０１は鋼板製の外箱、１０２は内箱、１０３は外箱１０１と内箱１０２間に充填発泡されたポリウレタン等の断熱材、４０は第１の仕切部、６０は第３の仕切部、１０４は鋼板製の第１の前板、１１４は逆Ｔ字状で鋼板製の第４の前板（金属板）、１０５は冷媒配管の凝縮パイプの一部を配置した外箱外周縁の放熱パイプ、１０５ａは第１の仕切部４０と第４の仕切部７０の前面に位置し前記放熱パイプ１０５と第１の仕切部４０の片端で繋がり連続に成形された略エ字状の仕切部放熱パイプ、１０６は仕切部放熱パイプ１０５ａを第１の前板１０４、第４の前板１１４に密着させるクッション部材、１０７は第１の仕切部４０の下方に延出した下向きフランジ、１０８は発泡内治具で第１の仕切部４０の下面部には空間１０９が設けられ、発泡内治具１０８の端部が下向きフランジ１０７に重なるように構成される。
　
【００７６】
　本体発泡時には図１８示すように第１の仕切部４０と発泡内治具１０８の空間１０９に仕切部放熱パイプ１０５ａが収納され、発泡内治具１０８が第１の仕切部４０の下向きフランジ１０７を押さえているので内箱９２及び第１の仕切部４０下面空間１０９の周囲は変形する事がない。
　
【００７７】
　組立に際しては、冷蔵庫本体１の発泡終了後に（第１の仕切部４０、前縁仕切部６１は組み込み済み）、仕切部放熱パイプ１０５ａを手前に引き上げ、図１９に示すように、冷却器３を取り付け（配管溶接）後、第２の仕切部５０を取り付ける。次に図２０に示すように第３の仕切部６０を前側より挿入し、仕切り部放熱パイプ１０５ａをクッション部材１０６上にセットして上側より第１の前板１０４、第４の前板１１４を取り付ける。
　
【００７８】
　実施の形態１２．
以下、この発明の実施の形態１２を図面を参照して説明する。図２１は実施の形態１２の第２の仕切部の構成を示す側面図である。図において、５０は第１の仕切部４０によって仕切られた冷蔵庫１の下側後方に冷却器室３３を区画する第２の仕切部、２は冷気を循環させるファンで、切替室用ダンパー６ａ、冷蔵室用ダンパー７ａである。第２の仕切部５０にファン２及びその駆動モータ、切替室用ダンパー６ａ、冷蔵室用ダンパー７ａを一体に設けることで、ファンと風路との位置関係を安定させる事ができる。
　
【００７９】
　実施の形態１３．
以下、この発明の実施の形態１３を図面を参照して説明する。図２２は実施の形態１３を示す図で、冷蔵庫の側面断面図である。図において、８０は野菜室３００を区画する第４の仕切部（横）、８１は第４の仕切部（縦）、８２は野菜室３００を仕切る冷蔵庫１の前縁部を構成する前縁仕切部、８３は第４の仕切部（縦）８１に埋設されるヒータである。
　
【００８０】
　次に、各仕切の取付構造について説明する。横仕切部８０は、前縁仕切部８２と第２の仕切部５０の間に蓋をするように取り付けられる。また、横仕切部８０は貯氷室６００と野菜室３００及び切替室７００と野菜室３００の間に冷気、水漏れが無いよう前縁仕切部８２，第２の仕切部５０，内箱３２との接合面にはシールが施されている。縦仕切部８１は第１の仕切部４０、第２の仕切部５０、第３の仕切部６０、及び第４の仕切部（横）８０を組立後、第１の仕切部４０、第４の仕切部（横）８０に成形したガイド溝に沿って冷蔵庫前面よりスライドして取り付ける。また、貯氷室６００と切替室７００の間に冷気、水漏れが無いよう第１の仕切部４０、第４の仕切部（横）８０、内箱３２との接合面にはシールが施されている。
　
【００８１】
　実施の形態１４．
　以下、この発明の実施の形態１４を図面を参照して説明する。図２３は実施の形態４による冷蔵庫の側面断面図である。図において、６０は第１の仕切部４０で分割された冷蔵庫本体１の下側を上下に分割し冷凍室２５０を区画する第３の仕切部である。また、第３の仕切部６０には、霜取の際の排水を受ける形状が設けられている。
　
【００８２】
　５０は第１の仕切部４０、第３の仕切部６０によって仕切られた冷蔵庫本体１の後方に冷却器室３３を区画する第２の仕切部である。
　
【００８３】
　次に、各仕切の取付構造について説明する。第３の仕切部６０は、内箱３１と冷気や、水の漏れがないようシールが施され冷蔵庫本体１に発泡断熱材を充填する前に取付られる。
　
【００８４】
　第２の仕切部５０は、内箱３１に成形された第１の仕切部４０と第３の仕切部６０の間の凹形状に冷却器３を取付後、冷蔵庫前面より取り付けられている。
　
【００８５】
　実施の形態１５．
　以下、この発明の実施の形態１５を図面を参照して説明する。図２４は実施の形態１５による冷蔵庫の側面断面図である。図において、３３は冷蔵庫本体１の下側後方に配置される冷却器室で、冷却器３と、冷却器３で冷却された冷気を循環させるファン２が収納されている。
　
【００８６】
　４０は冷蔵庫１を上下に分割する第１の仕切部である。
　
【００８７】
　５０は第１の仕切部４０によって仕切られた冷蔵庫本体１の下側後方に冷却器室３３を区画する第２の仕切部である。
　
【００８８】
　６０は第１の仕切部で分割された冷蔵庫１の下側前方を上下に分割し冷凍室２５０と野菜室３００を区画する第３の仕切部である。
　
【００８９】
　９０は第１の仕切部４０によって仕切られた冷蔵庫１の上側に貯氷室６００と切替室７００と冷蔵室１００を区画するＴ字型の第５の仕切部、９１は第５の仕切部上板、９２は第４の仕切部下板、９３は第４の仕切部内の成形断熱材、９４は貯氷室６００、切替室７００、野菜室３００の扉のガスケットの受面を形成する前縁仕切部である。
　
【００９０】
　９５は貯氷室６００と切替室７００と冷蔵室１００の風路を構成する冷気ダクト、９６は冷気ダクト９５前面の化粧板である。
　
【００９１】
　次に、各仕切の取付構造について説明する。第１の仕切部４０は、内箱３１と一体成形され成型時の熱で成形断熱材４３を内箱３１と接着する事で冷気や、水の漏れがないよう取付られている。
　
【００９２】
　第２の仕切部５０は、内箱３１に成形された凹形状に冷却器３を取付後、冷蔵庫前面より取り付け、冷却器室を区画する。第２の仕切部５０の外周は冷気、水漏れが無いようシール材が設けられている。
　
【００９３】
　第３の仕切部６０は、冷凍室１００と野菜室３００の扉のガスケット受面を構成する前縁仕切部６１と第２の仕切部５０の間に蓋をするように取り付けられる。また、第３の仕切部６０は冷凍室１００と野菜室３００の間に冷気、水漏れが無いよう第１の仕切部４０，第２の仕切部５０，内箱３２との接合面にはシールが施されている。
　
【００９４】
　　Ｔ字型の第５の仕切部９０は、冷気ダクト９５を取付後、前縁仕切部９４と冷気ダクト９５の間に蓋をするように取付られる。また、第５の仕切部９０は冷蔵室１００と貯氷室６００と切替室７００の間に冷気、水漏れが無いよう第１の仕切部６０、冷気ダクト９５、前縁仕切部９４、内箱３２との接合面にはシールが施されている。
　
【００９５】
　【発明の効果】
　請求項１の発明に係る冷蔵庫は、冷蔵室帰還風路を野菜室に連通させることで、スペースを有効に使用することが可能となっている。また、冷蔵室用帰還風路の戻り冷気の一部を、直接野菜室用帰還風路に戻すための第２の冷蔵室用帰還風路を備えたことにより、冷蔵室からの冷気戻りを野菜室の冷えすぎを防ぐために絞る必要がないため、戻り風路の圧損を減少させることが可能になり冷蔵室を多量の冷気で冷却することができ、冷却スピード等の冷却性能を向上させることができる。
　
【００９６】
　請求項２の発明に係る冷蔵庫は、切替室に冷気を供給するための切替室用送風路を備えたことにより、切替室への風量が確保出来るため安定した温度制御が可能となる。また、冷蔵室用帰還風路の戻り冷気の一部を、直接野菜室用帰還風路に戻すための第２の冷蔵室用帰還風路を備えたことにより、冷蔵室からの冷気戻りを野菜室の冷えすぎを防ぐために絞る必要がないため、戻り風路の圧損を減少させることが可能になり冷蔵室を多量の冷気で冷却することができ、冷却スピード等の冷却性能を向上させることができる。
　
【００９７】
　請求項３の発明に係る冷蔵庫は、切替室用送風路と、貯氷室用送風路を通る冷気の一部を分流させて、冷蔵室に送る冷蔵室用送風路とを備えたことにより、冷蔵室及び切替室のそれぞれの風量制御を独立して行うことができるので、安定した風量が供給できる。また、冷蔵室用帰還風路の戻り冷気の一部を、直接野菜室用帰還風路に戻すための第２の冷蔵室用帰還風路を備えたことにより、冷蔵室からの冷気戻りを野菜室の冷えすぎを防ぐために絞る必要がないため、戻り風路の圧損を減少させることが可能になり冷蔵室を多量の冷気で冷却することができ、冷却スピード等の冷却性能を向上させることができる。
　
【００９８】
　請求項４の発明に係る冷蔵庫は、切替室用送風路と、貯氷室用送風路と、冷蔵室用送風路とを独立して設けることにより、他の室の温度制御に影響されることなく風量が供給できるため、安定した各室の温度制御ができる。また、冷蔵室用帰還風路の戻り冷気の一部を、直接野菜室用帰還風路に戻すための第２の冷蔵室用帰還風路を備えたことにより、冷蔵室からの冷気戻りを野菜室の冷えすぎを防ぐために絞る必要がないため、戻り風路の圧損を減少させることが可能になり冷蔵室を多量の冷気で冷却することができ、冷却スピード等の冷却性能を向上させることができる。
　
【００９９】
　請求項５の発明に係る冷蔵庫は、貯氷室から冷気を冷却器室に戻すための貯氷室用帰還風路を第２の仕切部で区画された冷却器室の冷却器の横に設け、切替室から冷気を冷却器室に戻すため切替室用帰還風路を貯氷室用帰還風路と反対側の冷却器の横に設け、冷蔵室から冷気を戻すための冷蔵室用帰還風路と混合することなく冷却器室に冷気を戻す構造としたので、安定した各室の温度制御ができる。
　
【０１００】
　請求項６の発明に係る冷蔵庫は、切替室と冷蔵室とを温度制御するツインダンパーを備えたことにより、省スペース・価格低減ができる。
　
【０１０１】
　請求項７の発明に係る冷蔵庫は、冷蔵庫本体を上下に分割して上側に冷蔵室を形成する第１の仕切部と、この第１の仕切部によって仕切られた本体の下側後方に、冷却器を有する冷却器室を冷却器を取り付け後に本体前面より取り付けられて区画し、成形断熱材を有する第２の仕切部と、この第２の仕切部の前側を上下に分割して下側に冷凍室を形成する第３の仕切部と、第１の仕切部と第３の仕切部との間の空間を３つの室に分割し、第１の仕切部の下に貯氷室と切替室を並列に形成し、第３の仕切部の上に野菜室を形成する逆Ｔ字型の第４の仕切部とを備えた構成にしたので、冷却器室の前面に冷凍室以外の温度の高い室を設けることが可能になった。また、冷却器の取付後に各室の仕切を組み込むため、冷却器の取付作業が容易となった。
　
【０１０２】
　請求項８の発明に係る冷蔵庫は、第２の仕切部に各室の送風路、帰還風路を設けたため、部品点数が少なく、風路の嵌合も少ない安定した風路構造となった。
　
【０１０３】
　請求項９の発明に係る冷蔵庫は、第２の仕切部に、冷気を各室に供給するファン装置を一体に設けたので、ファンと風路との位置関係を安定させる事ができる。
　
【０１０４】
　請求項１０の発明に係る冷蔵庫は、第２の仕切部に、切替室と冷蔵室とを温度制御するダンパー装置を備えたので、部品点数を低減できる。
　
【０１０５】
　請求項１１の発明に係る冷蔵庫は、第４の仕切部を冷蔵庫本体の前面から挿入し、第４の仕切部前面よりネジにて冷蔵庫本体に固定する構造としたので、組立作業性が向上する。
　
【０１０６】
　請求項１２の発明に係る冷蔵庫は、第２の仕切部の貯蔵室側を構成する部品の、切替室と貯氷室間にスリットを設けたので、切替室がいかなる温度であっても、第２の仕切部の貯蔵室側を構成する部品の熱伝導による影響を受けない冷蔵庫がえられる。
　
【０１０７】
　請求項１３の発明に係る冷蔵庫は、冷蔵庫本体を上下に分割して上側に前記冷蔵室を形成する第１の仕切部と、この第１の仕切部によって仕切られた本体の下側後方に、冷却器を有する冷却器室を区画形成する第２の仕切部と、この第２の仕切部の前側を上下に分割して下側に冷凍室を形成する第３の仕切部と、第１の仕切部と第３の仕切部との間の空間を２つに分割し、第３の仕切部の上に野菜室を形成する第４の仕切部（横）と、第１の仕切部と第４の仕切部（横）との間の空間を左右２つに分割し、貯氷室と切替室を並列に形成する第４の仕切部（縦）とを備え、
第４の仕切部（縦）を第１〜第３の仕切部、及び第４の仕切部（横）を取付た後に組込む構造としたので、
　
【０１０８】
　請求項１４の発明に係る冷蔵庫は、第４の仕切部（縦）を第１〜第３の仕切部、及び第４の仕切部（横）を取付た後に組込む構造とし、第４の仕切部（縦）の冷蔵庫前面部に、露付き防止のためのヒ−タを埋設したので、切替室の設定温度によって、ヒータの通電率を変えることができ、消費電力量の少ない冷蔵庫が提供される。
　
【０１０９】
　
請求項１５
【図面の簡単な説明】
　【図１】　実施の形態１による冷蔵庫の正面図である。
　【図２】　実施の形態１による冷蔵庫の風路の構成を示す側面断面図である。
　【図３】　実施の形態２による冷蔵庫の正面図である。
　【図４】　実施の形態３による冷蔵庫の正面図である。
　【図５】　実施の形態４による冷蔵庫の正面図である。
　【図６】　実施の形態４による冷蔵庫の風路構成図である。
　【図７】　実施の形態５による冷蔵庫の風路構成図である。
　【図８】　実施の形態６による冷蔵庫の風路構成図である。
　【図９】　実施の形態７による冷蔵庫の風路構成図である。
　【図１０】　実施の形態８による冷蔵庫の風路構成図である。
　【図１１】　実施の形態９による冷蔵庫の風路構成図である。
　【図１２】　実施の形態１０による冷蔵庫の風路の構成を示す側面断面図である。
　【図１３】　実施の形態１０による冷蔵庫の第２の仕切部の構造を示す斜視図である。
　【図１４】　実施の形態１０による冷蔵庫の第４の仕切部の構造を示す斜視図である。
　【図１５】　実施の形態１０による冷蔵庫の冷蔵庫の風路構成図である。
　【図１６】　実施の形態１１による第１、第３の仕切部前部の分解図である。
　【図１７】　実施の形態１１による仕切部前部の部分断面図である。
　【図１８】　実施の形態１１による冷蔵庫本体発泡時の第１の仕切部付近の断面図である。
　【図１９】　実施の形態１１による冷蔵庫組立時の断面図である。
　【図２０】　実施の形態１１による冷蔵庫組立時の断面図である。
　【図２１】　実施の形態１２による第２の仕切部の構成を示す側面図である。
　【図２２】　実施の形態１３による冷蔵庫の側面断面図である。
　【図２３】　実施の形態１４による冷蔵庫の側面断面図である。
　【図２４】　実施の形態１５による冷蔵庫の側面断面図である。
　【図２５】　従来の冷蔵庫の正面図である。
　【図２６】　他の従来の冷蔵庫の正面図である。
　【符号の説明】
　１　冷蔵庫本体、２　ファン、３　冷却器、４　冷凍室用送風路、５　冷凍室用送風路（切替室用送風路）、５ａ　切替室用ダンパ、６　切替室用帰還風路、６ａ　切替室用ダンパ、７　冷蔵室用送風路、７ａ　冷蔵室用ダンパ、８　冷蔵室用帰還風路、９　野菜室用帰還風路、１０　切替室用帰還風路、１１　貯氷室用帰還風路、１２　切替室用送風路、１２ａ　切替室用ダンパ、１４　野菜室用送風路、２２　第２の冷蔵室用帰還風路、２４　貯氷室用送風路、３３　冷却器室、４０　第１の仕切部、５０　第２の仕切部、６０　第３の仕切部、７０　第４の仕切部、８０　第４の仕切部（横）、８１　第４の仕切部（縦）、８２　前縁仕切部、８３　ヒータ、９０　第５の仕切部、９１　第５の仕切部上板、９２第５の仕切部下板、９３　成形断熱材、９４　前縁仕切部、９５　冷気ダクト、９６　化粧板、１００　冷蔵室、１０１　外箱、１０２　内箱、１０４　第１の前板、１０５　放熱パイプ、１０５ａ　仕切部放熱パイプ、１０６　クッション材、１０７　下向きフランジ、１０８　発泡内治具、１０９　空間、１１４第４の前板、２００　冷凍室、２５０　冷凍室（切替室）、３００　野菜室（切替室）、４００　切替室、５００　切替室、６００　貯氷室、７００　切替室。